(57)【要約】  本開示は、アップリンク伝送方法および構成方法、端末ならびに基地局を提供する。端末側の方法において、基地局から端末に対し構成するアップリンク参照信号リソースの構成情報を取得することと、前記アップリンク参照信号リソースの構成情報に基づいてアップリンク参照信号を送信することと、基地局によって特定されるアップリンク伝送の指示情報を、端末が受信することと、前記指示情報に基づいてアップリンク伝送を行うこととを含む。【選択図】  図１
2020536413.tif 000002
【特許請求の範囲】
【請求項１】
基地局から端末に対し構成するアップリンク参照信号リソースの構成情報を取得することと、
前記アップリンク参照信号リソースの構成情報に基づいてアップリンク参照信号を送信することと、
基地局によって特定されるアップリンク伝送の指示情報を受信することと、
前記指示情報に基づいてアップリンク伝送を行うことと、
を含む、アップリンク伝送方法。
【請求項２】
前記アップリンク参照信号リソースの構成情報に基づいてアップリンク参照信号を送信する前に、
端末のコヒーレント伝送力情報を基地局に送信することを含む、請求項１に記載のアップリンク伝送方法。
【請求項３】
基地局から端末に対し構成するアップリンク参照信号リソースの構成情報を取得することは、
基地局から端末のコヒーレント伝送力情報に基づいて特定したアップリンク参照信号リソースの構成情報を受信することを含む、請求項２に記載のアップリンク伝送方法。
【請求項４】
前記アップリンク参照信号リソースの構成情報に基づいてアップリンク参照信号を送信する前に、
前記基地局から送信される前記アップリンク参照信号リソースに含まれるアップリンク参照信号ポート間のコヒーレント伝送関係情報を受信することをさらに含む、請求項２に記載のアップリンク伝送方法。
【請求項５】
前記アップリンク参照信号リソースの構成情報に基づいてアップリンク参照信号を送信することは、
前記アップリンク参照信号リソースの構成情報と前記コヒーレント伝送関係情報に基づいて、アップリンク参照信号リソースの構成情報に含まれる各アップリンク参照信号ポートに対応する送信アンテナを特定し、前記アンテナでアップリンク参照信号を送信することを含む、請求項４に記載のアップリンク伝送方法。
【請求項６】
前記コヒーレント伝送関係情報は、
各アップリンク参照信号リソースのアップリンク参照信号ポート間のコヒーレント伝送関係情報である、請求項４に記載のアップリンク伝送方法。
【請求項７】
前記コヒーレント伝送関係情報は、
前記アップリンク参照信号リソースの構成情報に含まれ、
または、
前記コヒーレント伝送関係情報は、
単独に指示される情報である、請求項４に記載のアップリンク伝送方法。
【請求項８】
前記コヒーレント伝送関係情報は、
前記コヒーレント伝送力情報に基づいて特定される、請求項４に記載のアップリンク伝送方法。
【請求項９】
前記アップリンク伝送の指示情報およびそれによって指示される内容は、
前記コヒーレント伝送関係、および、前記基地局によって受信されるアップリンク参照信号に基づいて特定される、請求項４に記載のアップリンク伝送方法。
【請求項１０】
端末のコヒーレント伝送力情報は、
端末でサポートされるアンテナのコヒーレント伝送力である、請求項２に記載のアップリンク伝送方法。
【請求項１１】
前記アンテナは、
物理アンテナ、送信チェーン、送受信ユニットＴＸＲＵまたはアップリンク参照信号ポートである、請求項１０に記載のアップリンク伝送方法。
【請求項１２】
前記基地局から端末に対し構成するアップリンク参照信号リソースに含まれるアップリンク参照信号ポート間のコヒーレント伝送関係と、端末のコヒーレント伝送力とのマッピング関係は、予め定義されている、請求項４に記載のアップリンク伝送方法。
【請求項１３】
端末のコヒーレント伝送力情報は、
アンテナグルーピング情報を含み、
ここで、各アンテナ群内のアンテナは、コヒーレント伝送が可能であり、異なるアンテナ群内のアンテナは、コヒーレント伝送ができない、請求項２に記載のアップリンク伝送方法。
【請求項１４】
前記アンテナグルーピング情報は、
アンテナ群数情報と、各アンテナ群に含まれるアンテナ数の情報を含む、請求項１３に記載のアップリンク伝送方法。
【請求項１５】
端末のコヒーレント伝送力情報は、
アンテナ総数情報をさらに含む、請求項１３に記載のアップリンク伝送方法。
【請求項１６】
端末のコヒーレント伝送力情報には、
端末の少なくとも一部のアンテナはコヒーレント伝送ができる旨の情報、または、端末のすべてのアンテナはコヒーレント伝送ができない旨の情報を含む、請求項２に記載のアップリンク伝送方法。
【請求項１７】
端末のコヒーレント伝送力情報は、
端末のコヒーレント伝送が可能な最大アンテナ数情報または最小アンテナ数情報を含む、請求項２に記載のアップリンク伝送方法。
【請求項１８】
前記コヒーレント伝送関係情報は、具体的に、
アップリンク参照信号ポートのグルーピング情報を含み、
ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われない、請求項４に記載のアップリンク伝送方法。
【請求項１９】
前記コヒーレント伝送関係情報は、具体的に、
コヒーレント伝送が可能な最大または最小のアップリンク参照信号ポート数情報を含む、請求項４に記載のアップリンク伝送方法。
【請求項２０】
前記コヒーレント伝送関係情報には、
同一のアップリンク参照信号リソースのアップリンク参照信号の少なくとも一部のポートはコヒーレント伝送が可能である旨の情報、または、すべてのポートはコヒーレント伝送ができない旨の情報を含む、請求項４に記載のアップリンク伝送方法。
【請求項２１】
前記コヒーレント伝送関係情報のうち、アップリンク参照信号ポートのグルーピング情報には、具体的に、
１）前記アップリンク参照信号リソースの構成情報に１つのアップリンク参照信号リソースまたは複数のアップリンク参照信号リソースが含まれる場合、少なくとも１つのアップリンク参照信号リソースは、一部のアップリンク参照信号ポートのみのコヒーレント伝送が可能であること、または、
２）前記アップリンク参照信号リソースの構成情報に複数のアップリンク参照信号リソースが含まれる場合、各アップリンク参照信号リソースのすべてのアップリンク参照信号ポートはコヒーレント伝送ができ、異なるアップリンク参照信号リソース間ではコヒーレント伝送ができないこと、または、
３）前記アップリンク参照信号リソースの構成情報に複数のアップリンク参照信号リソースが含まれる場合、各アップリンク参照信号リソースのアップリンク参照信号ポートはコヒーレント伝送ができ、一部のアップリンク参照信号リソース間ではコヒーレント伝送ができること、または、
４）前記アップリンク参照信号リソースの構成情報に複数のアップリンク参照信号リソースが含まれる場合、１つのアップリンク参照信号リソースの一部のアップリンク参照信号ポートは、もう１つのアップリンク参照信号リソースの一部のアップリンク参照信号ポートとはコヒーレント伝送ができること、または、
５）前記アップリンク参照信号リソースの構成情報に複数のアップリンク参照信号リソースが含まれる場合、前記複数のアップリンク参照信号リソースがリソース群に分けられ、同一のリソース群のすべてのアップリンク参照信号リソースは、同じアップリンク参照信号ポート数を有し、同一のリソース群の任意の２つのアップリンク参照信号リソースは、同時にアップリンク参照信号の送信に用いられず、かつ同一のリソース群の任意の２つのアップリンク参照信号リソースは、同じアップリンク参照信号リソースのアップリンク参照信号ポート間のコヒーレント伝送関係を有すること、または、
６）前記アップリンク参照信号リソースの構成情報に複数のアップリンク参照信号リソースが含まれる場合、当該複数のアップリンク参照信号リソースがリソース群に分けられ、任意の２つのリソース群は、同じアップリンク参照信号数およびリソース群のアップリンク参照信号ポート間のコヒーレント伝送関係を含み、かつ同時にアップリンク参照信号の送信に用いられないことを含む、請求項１８に記載のアップリンク伝送方法。
【請求項２２】
前記構成情報は、
アップリンク参照信号リソース数、および、各アップリンク参照信号リソースに含まれるアップリンク参照信号ポート数を含む、請求項１に記載のアップリンク伝送方法。
【請求項２３】
前記コヒーレント伝送関係情報は
１）前記アップリンク参照信号リソースの構成情報に複数のアップリンク参照信号リソースが含まれる場合、前記コヒーレント伝送関係情報は、そのうちの１つのアップリンク参照信号リソースのアップリンク参照信号ポート間のコヒーレント伝送関係であり、当該関係がすべてのアップリンク参照信号リソースに応用されること、または、
２）前記アップリンク参照信号リソースの構成情報に複数のアップリンク参照信号リソース群が含まれる場合、各アップリンク参照信号リソース群には１つまたは複数のアップリンク参照信号リソースを含み、前記コヒーレント伝送関係情報は、１つのアップリンク参照信号リソースのアップリンク参照信号ポート間のコヒーレント伝送関係を指示し、当該関係が当該アップリンク参照信号リソースの位置するアップリンク参照信号リソース群のすべてのアップリンク参照信号リソースに応用されること、または、
３）前記アップリンク参照信号リソースの構成情報に複数のアップリンク参照信号リソース群が含まれる場合、前記コヒーレント伝送関係情報は、１つのアップリンク参照信号リソース群のアップリンク参照信号ポート間のコヒーレント伝送関係を指示し、当該関係がすべてのアップリンク参照信号リソース群に応用されること、を含む、請求項４に記載のアップリンク伝送方法。
【請求項２４】
前記コヒーレント伝送関係情報は、
前記アップリンク参照信号ポートと前記アンテナ群とのマッピング関係であり、
または、
前記コヒーレント伝送関係情報は、
前記アップリンク参照信号リソースと前記アンテナ群とのマッピング関係である、請求項４に記載のアップリンク伝送方法。
【請求項２５】
前記アップリンク参照信号リソースの構成情報に基づいてアップリンク参照信号を送信する前に、
端末のコヒーレント伝送力およびアップリンク参照信号リソースの構成情報に基づいて、基地局から端末に対し構成するアップリンク参照信号リソースに含まれるアップリンク参照信号ポート間のコヒーレント伝送関係を特定することをさらに含み、
ここで、前記コヒーレント伝送関係と端末のコヒーレント伝送力とのマッピング関係は、予め定義されており、
前記アップリンク参照信号リソースの構成情報に基づいてアップリンク参照信号を送信することは、
コヒーレント伝送関係に基づいて、アップリンク参照信号の送信に用いられるアンテナを特定することを含み、
ここで、コヒーレント伝送が可能なアンテナを使用し、コヒーレント伝送が可能なアップリンク参照信号ポートでアップリンク参照信号を送信する、請求項２に記載のアップリンク伝送方法。
【請求項２６】
端末が、基地局によって特定されるアップリンク伝送の指示情報を受信してアップリンク伝送を行うことは、
アップリンク参照信号リソース指示ＳＲＩ、または、送信プリコーディング行列指示ＴＰＭＩおよび送信ランク指示ＴＲＩ、または、ＴＰＭＩ、ＴＲＩおよびＳＲＩの指示情報を含む前記アップリンク伝送の指示情報に基づいて、アップリンク伝送のプリコーディング行列、伝送ストリーム数および用いられるアンテナを特定することを含む、請求項４に記載のアップリンク伝送方法。
【請求項２７】
基地局によって特定されるアップリンク伝送の指示情報を受信する前に、
基地局から端末に対し構成するアップリンク参照信号リソースに含まれるアップリンク参照信号ポート間のコヒーレント伝送関係情報を基地局に送信することをさらに含む、請求項１に記載のアップリンク伝送方法。
【請求項２８】
前記コヒーレント伝送関係情報は、具体的に、
アップリンク参照信号ポートのグルーピング情報を含み、
ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われない、請求項２７に記載のアップリンク伝送方法。
【請求項２９】
前記コヒーレント伝送関係情報は、具体的に、
コヒーレント伝送が可能な最大または最小のアップリンク参照信号ポート数情報を含む、請求項２７に記載のアップリンク伝送方法。
【請求項３０】
前記コヒーレント伝送関係情報には、
同一のアップリンク参照信号リソースのアップリンク参照信号の少なくとも一部のポートはコヒーレント伝送が可能である旨の情報、または、すべてのポートは、コヒーレント伝送ができない旨の情報を含む、請求項２７に記載のアップリンク伝送方法。
【請求項３１】
アップリンク参照信号を送信することは、
前記コヒーレント伝送関係に基づいて、各アップリンク参照信号の伝送に用いられる送信アンテナを特定することをさらに含み、
ここで、コヒーレント伝送が可能なアンテナを使用し、コヒーレント伝送が可能なアップリンク参照信号ポートでアップリンク参照信号を送信する、請求項２７に記載のアップリンク伝送方法。
【請求項３２】
端末が、基地局によって特定されるアップリンク伝送の指示情報を受信してアップリンク伝送を行うことは、
アップリンク参照信号リソース指示ＳＲＩ、または、送信プリコーディング行列指示ＴＰＭＩおよび送信ランク指示ＴＲＩ、または、ＴＰＭＩ、ＴＲＩおよびＳＲＩの指示情報を含む前記アップリンク伝送の指示情報に基づいて、アップリンク伝送のプリコーディング行列、伝送ストリーム数および用いられるアンテナを特定することを含む、請求項２７に記載のアップリンク伝送方法。
【請求項３３】
端末が、基地局によって特定されるアップリンク伝送の指示情報を受信してアップリンク伝送を行うことは、
前記指示情報および前記コヒーレント伝送関係に基づいて、アップリンク伝送のプリコーディング行列、伝送ストリーム数および用いられるアンテナを特定することを含む、請求項４または２７に記載のアップリンク伝送方法。
【請求項３４】
アップリンク参照信号リソースの構成情報を端末に対し構成することと、
端末から、基地局によって構成される構成情報に基づいて送信されるアップリンク参照信号を受信することと、
基地局によって特定されるアップリンク伝送用の指示情報を端末に送信することと、
を含む、アップリンク伝送の構成方法。
【請求項３５】
端末から、基地局によって構成される構成情報に基づいて送信されるアップリンク参照信号を受信する前に、
端末から送信される端末のコヒーレント伝送力情報を受信することを含む、請求項３４に記載のアップリンク伝送の構成方法。
【請求項３６】
アップリンク参照信号リソースの構成情報を端末に対し構成することは、
端末から報知されるコヒーレント伝送力情報に基づいて、アップリンク参照信号リソースの構成情報を特定することを含む、請求項３５に記載のアップリンク伝送の構成方法。
【請求項３７】
端末から、基地局によって構成される構成情報に基づいて送信されるアップリンク参照信号を受信する前に、
前記アップリンク参照信号リソースに含まれるアップリンク参照信号ポート間のコヒーレント伝送関係情報を端末に送信することをさらに含む、請求項３５に記載のアップリンク伝送の構成方法。
【請求項３８】
前記コヒーレント伝送関係情報は、
各アップリンク参照信号リソースのアップリンク参照信号ポート間のコヒーレント伝送関係情報である、請求項３５に記載のアップリンク伝送の構成方法。
【請求項３９】
前記コヒーレント伝送関係情報は、
前記アップリンク参照信号リソースの構成情報に含まれ、
または、
前記コヒーレント伝送関係情報は、
単独に指示される情報である、請求項３７に記載のアップリンク伝送の構成方法。
【請求項４０】
前記コヒーレント伝送関係情報は、
前記コヒーレント伝送力情報に基づいて特定される、請求項３７に記載のアップリンク伝送の構成方法。
【請求項４１】
前記アップリンク伝送の指示情報およびそれによって指示される内容は、
前記コヒーレント伝送関係、および、前記基地局によって受信されるアップリンク参照信号に基づいて特定される、請求項３７〜４０のいずれか一項に記載のアップリンク伝送の構成方法。
【請求項４２】
端末のコヒーレント伝送力情報は、
端末でサポートされるアンテナのコヒーレント伝送力である、請求項３５に記載のアップリンク伝送の構成方法。
【請求項４３】
前記アンテナは、
物理アンテナ、送信チェーン、送受信ユニットＴＸＲＵまたはアップリンク参照信号ポートである、請求項４２に記載のアップリンク伝送の構成方法。
【請求項４４】
端末のコヒーレント伝送力情報は、
アンテナグルーピング情報を含み、
ここで、各アンテナ群内のアンテナは、コヒーレント伝送が可能であり、異なるアンテナ群内のアンテナは、コヒーレント伝送ができない、請求項３５に記載のアップリンク伝送の構成方法。
【請求項４５】
端末のコヒーレント伝送力情報は、
アンテナ総数情報をさらに含む、請求項４４に記載のアップリンク伝送の構成方法。
【請求項４６】
前記コヒーレント伝送関係情報は、具体的に、
アップリンク参照信号ポートのグルーピング情報を含み、
ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われない、請求項３７に記載のアップリンク伝送の構成方法。
【請求項４７】
前記コヒーレント伝送関係情報は、具体的に、
コヒーレント伝送が可能な最大または最小のアップリンク参照信号ポート数情報を含む、請求項３７に記載のアップリンク伝送の構成方法。
【請求項４８】
前記コヒーレント伝送関係情報には、
同一のアップリンク参照信号リソースのアップリンク参照信号の少なくとも一部のポートはコヒーレント伝送が可能である旨の情報、または、すべてのポートはコヒーレント伝送ができない旨の情報を含む、請求項３７に記載のアップリンク伝送の構成方法。
【請求項４９】
前記コヒーレント伝送関係情報のうち、アップリンク参照信号ポートのグルーピング情報には、具体的に、
１）前記アップリンク参照信号リソースの構成情報に１つのアップリンク参照信号リソースまたは複数のアップリンク参照信号リソースが含まれる場合、少なくとも１つのアップリンク参照信号リソースは、一部のアップリンク参照信号ポートのみのコヒーレント伝送が可能であること、または、
２）前記アップリンク参照信号リソースの構成情報に複数のアップリンク参照信号リソースが含まれる場合、各アップリンク参照信号リソースのすべてのアップリンク参照信号ポートはコヒーレント伝送ができ、異なるアップリンク参照信号リソース間ではコヒーレント伝送ができないこと、または、
３）前記アップリンク参照信号リソースの構成情報に複数のアップリンク参照信号リソースが含まれる場合、各アップリンク参照信号リソースのアップリンク参照信号ポートはコヒーレント伝送ができ、一部のアップリンク参照信号リソース間ではコヒーレント伝送ができること、または、
４）前記アップリンク参照信号リソースの構成情報に複数のアップリンク参照信号リソースが含まれる場合、１つのアップリンク参照信号リソースの一部のアップリンク参照信号ポートは、もう１つのアップリンク参照信号リソースの一部のアップリンク参照信号ポートとはコヒーレント伝送ができること、または、
５）前記アップリンク参照信号リソースの構成情報に複数のアップリンク参照信号リソースが含まれる場合、前記複数のアップリンク参照信号リソースがリソース群に分けられ、同一のリソース群のすべてのアップリンク参照信号リソースは、同じアップリンク参照信号ポート数を有し、同一のリソース群の任意の２つのアップリンク参照信号リソースは、同時にアップリンク参照信号の送信に用いられず、かつ同一のリソース群の任意の２つのアップリンク参照信号リソースは、同じアップリンク参照信号リソースのアップリンク参照信号ポート間のコヒーレント伝送関係を有すること、または、
６）前記アップリンク参照信号リソースの構成情報に複数のアップリンク参照信号リソースが含まれる場合、当該複数のアップリンク参照信号リソースは、リソース群に分けられ、任意の２つのリソース群は、同じアップリンク参照信号数およびリソース群のアップリンク参照信号ポート間のコヒーレント伝送関係を含み、かつ同時にアップリンク参照信号の送信に用いられないことを含む、請求項４６に記載のアップリンク伝送の構成方法。
【請求項５０】
前記構成情報は、
アップリンク参照信号リソース数、および、各アップリンク参照信号リソースに含まれるアップリンク参照信号ポート数を含む、請求項３４に記載のアップリンク伝送の構成方法。
【請求項５１】
前記コヒーレント伝送関係情報は、
１）前記アップリンク参照信号リソースの構成情報に複数のアップリンク参照信号リソースが含まれる場合、前記コヒーレント伝送関係情報は、そのうちの１つのアップリンク参照信号リソースのアップリンク参照信号ポート間のコヒーレント伝送関係であり、当該関係がすべてのアップリンク参照信号リソースに応用されること、または、
２）前記アップリンク参照信号リソースの構成情報に複数のアップリンク参照信号リソース群が含まれる場合、各アップリンク参照信号リソース群には１つまたは複数のアップリンク参照信号リソースを含み、前記コヒーレント伝送関係情報は、１つのアップリンク参照信号リソースのアップリンク参照信号ポート間のコヒーレント伝送関係を指示し、当該関係が当該アップリンク参照信号リソースの位置するアップリンク参照信号リソース群のすべてのアップリンク参照信号リソースに応用されること、または、
３）前記アップリンク参照信号リソースの構成情報に複数のアップリンク参照信号リソース群が含まれる場合、前記コヒーレント伝送関係情報は、１つのアップリンク参照信号リソース群のアップリンク参照信号ポート間のコヒーレント伝送関係を指示し、当該関係がすべてのアップリンク参照信号リソース群に応用されること、を含む、請求項３７に記載のアップリンク伝送の構成方法。
【請求項５２】
前記コヒーレント伝送関係情報は、
前記アップリンク参照信号ポートと前記アンテナ群とのマッピング関係であり、
または、
前記コヒーレント伝送関係情報は、
前記アップリンク参照信号リソースと前記アンテナ群とのマッピング関係である、請求項３７に記載のアップリンク伝送の構成方法。
【請求項５３】
端末から、基地局によって構成される構成情報に基づいて送信されるアップリンク参照信号を受信する前に、
端末のコヒーレント伝送力およびアップリンク参照信号リソースの構成情報に基づいて、基地局から端末に対し構成するアップリンク参照信号リソースに含まれるアップリンク参照信号ポート間のコヒーレント伝送関係を特定することをさらに含み、
ここで、前記コヒーレント伝送関係と端末のコヒーレント伝送力とのマッピング関係は、予め定義されており、
前記アップリンク参照信号リソースの構成情報に基づいてアップリンク参照信号を送信することは、
コヒーレント伝送関係に基づいて、アップリンク参照信号の送信に用いられるアンテナを特定することを含み、
ここで、コヒーレント伝送が可能なアンテナを使用し、コヒーレント伝送が可能なアップリンク参照信号ポートでアップリンク参照信号を送信する、請求項３５または３６に記載のアップリンク伝送の構成方法。
【請求項５４】
アップリンク参照信号リソースの構成情報を端末に対し構成することは、
端末に対し構成するアップリンク参照信号リソースの構成情報を直接的に端末に送信することを含む、請求項３４に記載のアップリンク伝送の構成方法。
【請求項５５】
端末から、基地局によって構成される構成情報に基づいて送信されるアップリンク参照信号を受信する前に、
端末から送信されるアップリンク参照信号間のコヒーレント伝送情報を受信することをさらに含む、請求項５４に記載のアップリンク伝送の構成方法。
【請求項５６】
前記コヒーレント伝送関係情報は、具体的に、
アップリンク参照信号ポートのグルーピング情報を含み、
ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われない、請求項５５に記載のアップリンク伝送の構成方法。
【請求項５７】
基地局によって特定されるアップリンク参照信号リソースの指示情報を端末に送信することにおいて、
前記アップリンク伝送の指示情報は、
ＳＲＩ、または、ＴＰＭＩおよびＴＲＩ、または、ＴＰＭＩ、ＴＲＩおよびＳＲＩの指示情報を含む、請求項５３に記載のアップリンク伝送の構成方法。
【請求項５８】
前記コヒーレント伝送関係に基づいてアップリンク伝送の指示情報を特定する、請求項３７、５３、５５または５６のいずれか一項に記載のアップリンク伝送の構成方法。
【請求項５９】
基地局から端末に対し構成するアップリンク参照信号リソースの構成情報を取得するための取得モジュールと、
前記アップリンク参照信号リソースの構成情報に基づいてアップリンク参照信号を送信するための送信モジュールと、
基地局によって特定されるアップリンク伝送の指示情報を受信するための受信モジュールと、を含み、
前記送信モジュールは、さらに、前記指示情報に基づいてアップリンク伝送を行うことに用いられる、端末。
【請求項６０】
前記送信モジュールは、さらに、
端末のコヒーレント伝送力情報を基地局に送信することに用いられる、請求項５９に記載の端末。
【請求項６１】
前記受信モジュールは、具体的に、
基地局から端末のコヒーレント伝送力情報に基づいて特定したアップリンク参照信号リソースの構成情報を受信することに用いられる、請求項６０に記載の端末。
【請求項６２】
前記受信モジュールは、さらに、
前記基地局から送信される前記アップリンク参照信号リソースに含まれるアップリンク参照信号ポート間のコヒーレント伝送関係情報を受信することに用いられる、請求項６１に記載の端末。
【請求項６３】
前記送信モジュールは、具体的に、
前記アップリンク参照信号リソースの構成情報と前記コヒーレント伝送関係情報に基づいて、アップリンク参照信号リソースの構成情報に含まれる各アップリンク参照信号ポートに対応する送信アンテナを特定し、前記アンテナでアップリンク参照信号を送信することに用いられる、請求項６２に記載の端末。
【請求項６４】
前記基地局から端末に対し構成するアップリンク参照信号リソースに含まれるアップリンク参照信号ポート間のコヒーレント伝送関係と、端末のコヒーレント伝送力とのマッピング関係は、予め定義されている、請求項６０に記載の端末。
【請求項６５】
前記送信モジュールは、さらに、
端末のコヒーレント伝送力およびアップリンク参照信号リソースの構成情報に基づいて、基地局から端末に対し構成するアップリンク参照信号リソースに含まれるアップリンク参照信号ポート間のコヒーレント伝送関係を特定することに用いられ、
ここで、前記コヒーレント伝送関係と端末のコヒーレント伝送力とのマッピング関係は、予め定義されており、
前記アップリンク参照信号リソースの構成情報に基づいてアップリンク参照信号を送信することは、
コヒーレント伝送関係に基づいて、アップリンク参照信号の送信に用いられるアンテナを特定することを含み、
ここで、コヒーレント伝送が可能なアンテナを使用し、コヒーレント伝送が可能なアップリンク参照信号ポートでアップリンク参照信号を送信する、請求項６０に記載の端末。
【請求項６６】
前記送信モジュールは、さらに、
基地局から端末に対し構成するアップリンク参照信号リソースに含まれるアップリンク参照信号ポート間のコヒーレント伝送関係情報を基地局に送信することに用いられる、請求項５９に記載の端末。
【請求項６７】
前記送信モジュールは、さらに、
前記コヒーレント伝送関係に基づいて、各アップリンク参照信号の伝送に用いられる送信アンテナを特定することに用いられ、
ここで、コヒーレント伝送が可能なアンテナを使用し、コヒーレント伝送が可能なアップリンク参照信号ポートでアップリンク参照信号を送信する、請求項６６に記載の端末。
【請求項６８】
前記受信モジュールは、具体的に、
ＳＲＩ、または、ＴＰＭＩおよびＴＲＩ、または、ＴＰＭＩ、ＴＲＩおよびＳＲＩの指示情報を含む前記アップリンク伝送の指示情報に基づいて、アップリンク伝送のプリコーディング行列、伝送ストリーム数および用いられるアンテナを特定すること、または、
前記指示情報および前記コヒーレント伝送関係に基づいて、アップリンク伝送のプリコーディング行列、伝送ストリーム数および用いられるアンテナを特定することに用いられる、請求項６６に記載の端末。
【請求項６９】
トランシーバと、メモリと、プロセッサと、前記メモリに記憶されて前記プロセッサで実行可能なコンピュータプログラムを含む端末であって、
前記プロセッサは、前記コンピュータプログラムを実行すると、請求項１〜３３のいずれか一項に記載のアップリンク伝送方法のことを実現する、端末。
【請求項７０】
アップリンク参照信号リソースの構成情報を端末に対し構成するための構成モジュールと、
端末から、基地局によって構成される構成情報に基づいて送信されるアップリンク参照信号を受信するための受信モジュールと、
基地局によって特定されるアップリンク伝送用の指示情報を端末に送信するための送信モジュールと、
を含む、基地局。
【請求項７１】
前記受信モジュールは、さらに、
端末から送信される端末のコヒーレント伝送力情報を受信することに用いられる、請求項７０に記載の基地局。
【請求項７２】
前記構成モジュールは、具体的に、
端末から報知されるコヒーレント伝送力情報に基づいて、アップリンク参照信号リソースの構成情報を特定することに用いられる、請求項７１に記載の基地局。
【請求項７３】
前記送信モジュールは、さらに、
前記アップリンク参照信号リソースに含まれるアップリンク参照信号ポート間のコヒーレント伝送関係情報を端末に送信することに用いられる、請求項７２に記載の基地局。
【請求項７４】
前記基地局から端末に対し構成するアップリンク参照信号リソースに含まれるアップリンク参照信号ポート間のコヒーレント伝送関係と、端末のコヒーレント伝送力とのマッピング関係は、予め定義されている、請求項７０に記載の基地局。
【請求項７５】
前記送信モジュールは、さらに、
端末に対し構成するアップリンク参照信号リソースの構成情報を直接的に端末に送信することに用いられる、請求項７０に記載の基地局。
【請求項７６】
前記受信モジュールは、さらに、
端末から送信されるアップリンク参照信号ポート間のコヒーレント伝送情報を受信することに用いられる、請求項７０に記載の基地局。
【請求項７７】
前記送信モジュールは、具体的に、
アップリンク参照信号に基づいて特定したアップリンク伝送用の指示情報を端末に送信することに用いられ、
前記指示情報は、
アップリンクスケジューリング要求指示ＳＲＩ、または、ＴＰＭＩおよびＴＲＩ、または、ＴＰＭＩ、ＴＲＩおよびＳＲＩの指示情報を含む、請求項７６に記載の基地局。
【請求項７８】
前記送信モジュールは、さらに、
前記コヒーレント伝送関係に基づいてアップリンク伝送の指示情報を特定することに用いられる、請求項７３、７４または７６のいずれか一項に記載の基地局。
【請求項７９】
トランシーバと、メモリと、プロセッサと、前記メモリに記憶されて前記プロセッサで実行可能なコンピュータプログラムを含む基地局であって、
前記プロセッサは、前記コンピュータプログラムを実行すると、請求項３４〜５８のいずれか一項に記載のアップリンク伝送の構成方法のことを実現する、基地局。
【請求項８０】
コンピュータプログラムが記憶されているコンピュータ読み取り可能な記憶媒体であって、
当該プログラムがプロセッサによって実行されると、請求項１〜３３のいずれか一項に記載の方法、または、請求項３４〜５８のいずれか一項に記載の方法が実現される、コンピュータ読み取り可能な記憶媒体。
【発明の詳細な説明】
【技術分野】
【０００１】
本願は、２０１７年９月３０日に中国特許庁に提出された中国特許出願２０１７１０９２３３１５．７の優先権を主張し、その全ての内容が援用によりここに取り込まれる。
本開示は、通信技術分野に係り、特にアップリンク伝送方法および構成方法、端末ならびに基地局に係る。
【背景技術】
【０００２】
ＬＴＥ  Ｒｅｌ−８において、最多で４層のＭＩＭＯ伝送がサポートされる。
【０００３】
Ｒｅｌ−９において、ＭＵ−ＭＩＭＯ技術の強化がポイントであり、ＴＭ（Ｔｒａｎｓｍｉｓｓｉｏｎ  Ｍｏｄｅ）−８のＭＵ−ＭＩＭＯ（Ｍｕｌｔｉ−Ｕｓｅｒ  ＭＩＭＯ）伝送では、最多で４つのダウンリンクデータ層がサポートされる。
【０００４】
Ｒｅｌ−１０において、８のアップリンク参照信号ポートをサポートすることを導入してチャネル状態情報の空間解析度をさらに向上させ、さらに、ＳＵ−ＭＩＭＯ（Ｓｉｎｇｌｅ−Ｕｓｅｒ  ＭＩＭＯ）の伝送力を最多８つのデータ層まで拡張させる。
【０００５】
Ｒｅｌ−１３、Ｒｅｌ−１４において、ＦＤ−ＭＩＭＯ技術の導入によって３２ポートまでサポートし、全次元および垂直方向のビームフォーミングが実現される。
【０００６】
ＭＩＭＯ技術の更なる向上のために、移動通信システムには大規模なアンテナ技術が導入される。基地局にとって、フルデジタル化の大規模なアンテナは、１２８／２５６／５１２ものアンテナユニットおよび１２８／２５６／５１２もの送受信ユニットを有し、各アンテナユニットが１つの送受信ユニットに接続される。１２８／２５６／５１２ものアップリンク参照信号ポートのパイロット信号を送信することによって、端末は、チャネル状態情報を測定してフィードバックする。
【０００７】
端末にとって、３２／６４ものアンテナユニットのアンテナアレイを構成してもよい。基地局と端末の両方のビームフォーミングによって、巨大なビームフォーミングゲインを取得し、経路損失による信号減衰を補う。特に高周波数帯域の通信において、たとえば３０ＧＨｚの周波数点では、経路損失によって無線信号のカバレッジが大きく限定される。大規模なアンテナ技術によって、無線信号のカバレッジを実用可能な範囲内に拡大させることができる。
【０００８】
関連技術の通信システムにおいて、コードブックに基づくアップリンク伝送は、よく用いられるアップリンク伝送技術である。
【０００９】
コードブックに基づくアップリンク伝送の場合、端末（ＵＥ）から基地局（ＢＳ）にアップリンク参照信号（例えばＳＲＳ）を送信する。
【００１０】
基地局は、アップリンク参照信号を測定し、端末に用いられるＴＰＭＩ（送信プリコーディング行列指示）、ＴＲＩ（送信ランク指示）およびＭＣＳ（変調および符号化スキーム）などの情報を特定し、ＵＥのアップリンクスケジューリングを行い、ＴＲＩ、ＴＰＭＩおよびＭＣＳなど、アップリンクスケジューリングに関する情報をＤＣＩ（ダウンリンク制御情報）によってＵＥに指示する。
【００１１】
ＵＥは、基地局から指示されるＴＲＩおよびＴＰＭＩを用いて、アップリンクデータ（または信号）伝送に用いられるプリコーディング／ビームフォーミングを特定し、当該プリコーディング／ビームフォーミングを用いてデータ伝送を行う。
【００１２】
端末に用いられるＴＰＭＩおよびＴＲＩ情報を基地局が特定すること、および、端末がＴＰＭＩおよびＴＲＩ指示に基づいてデータ伝送のプリコーディング／ビームフォーミングを特定することは、すべてコードブックに基づいて特定される。
【００１３】
実際のシステムにおいて、一部のＵＥは、ハードウェアの実現から制限を受け、複数の送信チェーンをサポートできるものの、異なるチェーン間では位相のキャリブレーションができないなどの原因から、コヒーレント伝送（ｃｏｈｅｒｅｎｔ  ｔｒａｎｓｍｉｓｓｉｏｎ）をすべての送信チェーンで行うのではなく、すなわち、これらの送信チェーンで同時に複数の層（ｌａｙｅｒ，ｏｒ  ｓｔｒｅａｍ）の信号を伝送することができない。
【００１４】
基地局が、端末のすべての送信チェーンに基づいてコヒーレント伝送を行ってアップリンクスケジューリングを行うことは可能であれば、スケジューリングの際に推定した性能と、実際の伝送性能とは一致しないことをもたらし、アップリンク伝送の性能を悪化させる。
【００１５】
よって、基地局側と端末側では送信チェーンに対し同じ仮定を有することを保証し、アップリンク伝送の性能を確保するには、端末は、その送信チェーンのコヒーレント伝送力を報知する必要がある。
【００１６】
関連技術の通信システムにおいて、端末と基地局との間で送信チェーンのコヒーレント伝送力に関するやり取り情報がなく、基地局では端末の送信チェーンのコヒーレント伝送力に基づくアップリンクスケジューリングプランおよびアップリンクアクセス許可プランもない。
【発明の概要】
【発明が解決しようとする課題】
【００１７】
本開示は、アップリンク伝送方法および構成方法、端末ならびに基地局を提供する。端末と基地局との間で送信チェーンのコヒーレント伝送力に関するやり取り情報の送受信プラン、および、当該やり取りプランに基づくリソース構成、アップリンクアクセス許可などのシグナリングのやり取りプランを提案し、端末のアップリンク伝送性能を保証する。
【課題を解決するための手段】
【００１８】
上記技術問題を解決するために、本開示は、以下の手段を提供する。
【００１９】
アップリンク伝送方法であって、
基地局から端末に対し構成するアップリンク参照信号リソースの構成情報を取得することと、
前記アップリンク参照信号リソースの構成情報に基づいてアップリンク参照信号を送信することと、
基地局によって特定されるアップリンク伝送の指示情報を受信することと、
前記指示情報に基づいてアップリンク伝送を行うことと、
を含む。
【００２０】
ここで、前記アップリンク参照信号リソースの構成情報に基づいてアップリンク参照信号を送信する前に、
端末のコヒーレント伝送力情報を基地局に送信することを含む。
【００２１】
ここで、基地局から端末に対し構成するアップリンク参照信号リソースの構成情報を取得することは、
基地局から端末のコヒーレント伝送力情報に基づいて特定したアップリンク参照信号リソースの構成情報を受信することを含む。
【００２２】
ここで、前記アップリンク参照信号リソースの構成情報に基づいてアップリンク参照信号を送信する前に、
前記基地局から送信される前記アップリンク参照信号リソースに含まれるアップリンク参照信号ポート間のコヒーレント伝送関係情報を受信することをさらに含む。
【００２３】
ここで、前記アップリンク参照信号リソースの構成情報に基づいてアップリンク参照信号を送信することは、
前記アップリンク参照信号リソースの構成情報と前記コヒーレント伝送関係情報に基づいて、アップリンク参照信号リソースの構成情報に含まれる各アップリンク参照信号ポートに対応する送信アンテナを特定し、前記アンテナでアップリンク参照信号を送信することを含む。
【００２４】
ここで、前記コヒーレント伝送関係情報は、
各アップリンク参照信号リソースのアップリンク参照信号ポート間のコヒーレント伝送関係情報である。
【００２５】
ここで、前記コヒーレント伝送関係情報は、
前記アップリンク参照信号リソースの構成情報に含まれ、
または、
前記コヒーレント伝送関係情報は、
単独に指示される情報である。
【００２６】
ここで、前記コヒーレント伝送関係情報は、
前記コヒーレント伝送力情報に基づいて特定される。
【００２７】
ここで、前記アップリンク伝送の指示情報およびそれによって指示される内容は、
前記コヒーレント伝送関係、および、前記基地局によって受信されるアップリンク参照信号に基づいて特定される。
【００２８】
ここで、端末のコヒーレント伝送力情報は、
端末でサポートされるアンテナのコヒーレント伝送力である。
【００２９】
ここで、前記アンテナは、
物理アンテナ、送信チェーン、送受信ユニットＴＸＲＵまたはアップリンク参照信号ポートである。
【００３０】
ここで、前記基地局から端末に対し構成するアップリンク参照信号リソースに含まれるアップリンク参照信号ポート間のコヒーレント伝送関係と、端末のコヒーレント伝送力とのマッピング関係は、予め定義されている。
【００３１】
ここで、端末のコヒーレント伝送力情報は、
アンテナグルーピング情報を含み、
ここで、各アンテナ群内のアンテナは、コヒーレント伝送が可能であり、異なるアンテナ群内のアンテナは、コヒーレント伝送ができない。
【００３２】
ここで、前記アンテナグルーピング情報は、
アンテナ群数情報と、各アンテナ群に含まれるアンテナ数の情報を含む。
【００３３】
ここで、端末のコヒーレント伝送力情報は、
アンテナ総数情報をさらに含む。
【００３４】
ここで、端末のコヒーレント伝送力情報には、
端末の少なくとも一部のアンテナはコヒーレント伝送ができる旨の情報、または、端末のすべてのアンテナはコヒーレント伝送ができない旨の情報を含む。
【００３５】
ここで、端末のコヒーレント伝送力情報は、
端末のコヒーレント伝送が可能な最大アンテナ数情報または最小アンテナ数情報を含む。
【００３６】
ここで、前記コヒーレント伝送関係情報は、具体的に、
アップリンク参照信号ポートのグルーピング情報を含み、
ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われない。
【００３７】
ここで、前記コヒーレント伝送関係情報は、具体的に、
コヒーレント伝送が可能な最大または最小のアップリンク参照信号ポート数情報を含む。
【００３８】
ここで、前記コヒーレント伝送関係情報には、
同一のアップリンク参照信号リソースのアップリンク参照信号の少なくとも一部のポートはコヒーレント伝送が可能である旨の情報、または、すべてのポートはコヒーレント伝送ができない旨の情報を含む。
【００３９】
ここで、前記コヒーレント伝送関係情報のうち、アップリンク参照信号ポートのグルーピング情報には、具体的に、
１）前記アップリンク参照信号リソースの構成情報に１つのアップリンク参照信号リソースまたは複数のアップリンク参照信号リソースが含まれる場合、少なくとも１つのアップリンク参照信号リソースは、一部のアップリンク参照信号ポートのみのコヒーレント伝送が可能であること、または、
２）前記アップリンク参照信号リソースの構成情報に複数のアップリンク参照信号リソースが含まれる場合、各アップリンク参照信号リソースのすべてのアップリンク参照信号ポートはコヒーレント伝送ができ、異なるアップリンク参照信号リソース間ではコヒーレント伝送ができないこと、または、
３）前記アップリンク参照信号リソースの構成情報に複数のアップリンク参照信号リソースが含まれる場合、各アップリンク参照信号リソースのアップリンク参照信号ポートはコヒーレント伝送ができ、一部のアップリンク参照信号リソース間ではコヒーレント伝送ができること、または、
４）前記アップリンク参照信号リソースの構成情報に複数のアップリンク参照信号リソースが含まれる場合、１つのアップリンク参照信号リソースの一部のアップリンク参照信号ポートは、もう１つのアップリンク参照信号リソースの一部のアップリンク参照信号ポートとはコヒーレント伝送ができること、または、
５）前記アップリンク参照信号リソースの構成情報に複数のアップリンク参照信号リソースが含まれる場合、前記複数のアップリンク参照信号リソースがリソース群に分けられ、同一のリソース群のすべてのアップリンク参照信号リソースは、同じアップリンク参照信号ポート数を有し、同一のリソース群の任意の２つのアップリンク参照信号リソースは、同時にアップリンク参照信号の送信に用いられず、かつ同一のリソース群の任意の２つのアップリンク参照信号リソースは、同じアップリンク参照信号リソースのアップリンク参照信号ポート間のコヒーレント伝送関係を有すること、または、
６）前記アップリンク参照信号リソースの構成情報に複数のアップリンク参照信号リソースが含まれる場合、当該複数のアップリンク参照信号リソースがリソース群に分けられ、任意の２つのリソース群は、同じアップリンク参照信号数およびリソース群のアップリンク参照信号ポート間のコヒーレント伝送関係を含み、かつ同時にアップリンク参照信号の送信に用いられないことを含む。
【００４０】
ここで、前記構成情報は、
アップリンク参照信号リソース数、および、各アップリンク参照信号リソースに含まれるアップリンク参照信号ポート数を含む。
【００４１】
ここで、前記コヒーレント伝送関係情報は、
１１）前記アップリンク参照信号リソースの構成情報に複数のアップリンク参照信号リソースが含まれる場合、前記コヒーレント伝送関係情報は、そのうちの１つのアップリンク参照信号リソースのアップリンク参照信号ポート間のコヒーレント伝送関係であり、当該関係がすべてのアップリンク参照信号リソースに応用されること、または、
１５）前記アップリンク参照信号リソースの構成情報に複数のアップリンク参照信号リソース群が含まれる場合、各アップリンク参照信号リソース群には１つまたは複数のアップリンク参照信号リソースを含み、前記コヒーレント伝送関係情報は、１つのアップリンク参照信号リソースのアップリンク参照信号ポート間のコヒーレント伝送関係を指示し、当該関係が当該アップリンク参照信号リソースの位置するアップリンク参照信号リソース群のすべてのアップリンク参照信号リソースに応用されること、または、
１６）前記アップリンク参照信号リソースの構成情報に複数のアップリンク参照信号リソース群が含まれる場合、前記コヒーレント伝送関係情報は、１つのアップリンク参照信号リソース群のアップリンク参照信号ポート間のコヒーレント伝送関係を指示し、当該関係がすべてのアップリンク参照信号リソース群に応用されること、を含む。
【００４２】
ここで、前記コヒーレント伝送関係情報は、
前記アップリンク参照信号ポートと前記アンテナ群とのマッピング関係であり、
または、
前記コヒーレント伝送関係情報は、
前記アップリンク参照信号リソースと前記アンテナ群とのマッピング関係である。
【００４３】
ここで、前記アップリンク参照信号リソースの構成情報に基づいてアップリンク参照信号を送信する前に、
端末のコヒーレント伝送力およびアップリンク参照信号リソースの構成情報に基づいて、基地局から端末に対し構成するアップリンク参照信号リソースに含まれるアップリンク参照信号ポート間のコヒーレント伝送関係を特定することをさらに含み、
ここで、前記コヒーレント伝送関係と端末のコヒーレント伝送力とのマッピング関係は、予め定義されており、
前記アップリンク参照信号リソースの構成情報に基づいてアップリンク参照信号を送信することは、
コヒーレント伝送関係に基づいて、アップリンク参照信号の送信に用いられるアンテナを特定することを含み、
ここで、コヒーレント伝送が可能なアンテナを使用し、コヒーレント伝送が可能なアップリンク参照信号ポートでアップリンク参照信号を送信する。
【００４４】
ここで、端末が、基地局によって特定されるアップリンク伝送の指示情報を受信してアップリンク伝送を行うことは、
アップリンク参照信号リソース指示ＳＲＩ、または、送信プリコーディング行列指示ＴＰＭＩおよび送信ランク指示ＴＲＩ、または、ＴＰＭＩ、ＴＲＩおよびＳＲＩの指示情報を含む前記アップリンク伝送の指示情報に基づいて、アップリンク伝送のプリコーディング行列、伝送ストリーム数および用いられるアンテナを特定することを含む。
【００４５】
ここで、基地局によって特定されるアップリンク伝送の指示情報を受信する前に、
基地局から端末に対し構成するアップリンク参照信号リソースに含まれるアップリンク参照信号ポート間のコヒーレント伝送関係情報を基地局に送信することをさらに含む。
【００４６】
ここで、前記コヒーレント伝送関係情報は、具体的に、
アップリンク参照信号ポートのグルーピング情報を含み、
ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われない。
【００４７】
ここで、前記コヒーレント伝送関係情報は、具体的に、
コヒーレント伝送が可能な最大または最小のアップリンク参照信号ポート数情報を含む。
【００４８】
ここで、前記コヒーレント伝送関係情報には、
同一のアップリンク参照信号リソースのアップリンク参照信号の少なくとも一部のポートはコヒーレント伝送が可能である旨の情報、または、すべてのポートは、コヒーレント伝送ができない旨の情報を含む。
【００４９】
ここで、アップリンク参照信号を送信することは、
前記コヒーレント伝送関係に基づいて、各アップリンク参照信号の伝送に用いられる送信アンテナを特定することをさらに含み、
ここで、コヒーレント伝送が可能なアンテナを使用し、コヒーレント伝送が可能なアップリンク参照信号ポートでアップリンク参照信号を送信する。
【００５０】
ここで、端末が、基地局によって特定されるアップリンク伝送の指示情報を受信してアップリンク伝送を行うことは、
アップリンク参照信号リソース指示ＳＲＩ、または、送信プリコーディング行列指示ＴＰＭＩおよび送信ランク指示ＴＲＩ、または、ＴＰＭＩ、ＴＲＩおよびＳＲＩの指示情報を含む前記アップリンク伝送の指示情報に基づいて、アップリンク伝送のプリコーディング行列、伝送ストリーム数および用いられるアンテナを特定することを含む。
【００５１】
ここで、端末が、基地局によって特定されるアップリンク伝送の指示情報を受信してアップリンク伝送を行うことは、
前記指示情報および前記コヒーレント伝送関係に基づいて、アップリンク伝送のプリコーディング行列、伝送ストリーム数および用いられるアンテナを特定することを含む。
【００５２】
本開示は、アップリンク伝送の構成方法をさらに提供する。
当該方法において、
アップリンク参照信号リソースの構成情報を端末に対し構成することと、
端末から、基地局によって構成される構成情報に基づいて送信されるアップリンク参照信号を受信することと、
基地局によって特定されるアップリンク伝送用の指示情報を端末に送信することと、
を含む。
【００５３】
ここで、端末から、基地局によって構成される構成情報に基づいて送信されるアップリンク参照信号を受信する前に、
端末から送信される端末のコヒーレント伝送力情報を受信することを含む。
【００５４】
ここで、アップリンク参照信号リソースの構成情報を端末に対し構成することは、
端末から報知されるコヒーレント伝送力情報に基づいて、アップリンク参照信号リソースの構成情報を特定することを含む。
【００５５】
ここで、端末から、基地局によって構成される構成情報に基づいて送信されるアップリンク参照信号を受信する前に、
前記アップリンク参照信号リソースに含まれるアップリンク参照信号ポート間のコヒーレント伝送関係情報を端末に送信することをさらに含む。
【００５６】
ここで、前記コヒーレント伝送関係情報は、
各アップリンク参照信号リソースのアップリンク参照信号ポート間のコヒーレント伝送関係情報である。
【００５７】
ここで、前記コヒーレント伝送関係情報は、
前記アップリンク参照信号リソースの構成情報に含まれ、
または、
前記コヒーレント伝送関係情報は、
単独に指示される情報である。
【００５８】
ここで、前記コヒーレント伝送関係情報は、
前記コヒーレント伝送力情報に基づいて特定される。
【００５９】
ここで、前記アップリンク伝送の指示情報およびそれによって指示される内容は、
前記コヒーレント伝送関係、および、前記基地局によって受信されるアップリンク参照信号に基づいて特定される。
【００６０】
ここで、端末のコヒーレント伝送力情報は、
端末でサポートされるアンテナのコヒーレント伝送力である。
【００６１】
ここで、前記アンテナは、
物理アンテナ、送信チェーン、送受信ユニットＴＸＲＵまたはアップリンク参照信号ポートである。
【００６２】
ここで、端末のコヒーレント伝送力情報は、
アンテナグルーピング情報を含み、
ここで、各アンテナ群内のアンテナは、コヒーレント伝送が可能であり、異なるアンテナ群内のアンテナは、コヒーレント伝送ができない。
【００６３】
ここで、端末のコヒーレント伝送力情報は、
アンテナ総数情報をさらに含む。
【００６４】
ここで、前記コヒーレント伝送関係情報は、具体的に、
アップリンク参照信号ポートのグルーピング情報を含み、
ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われない。
【００６５】
ここで、前記コヒーレント伝送関係情報は、具体的に、
コヒーレント伝送が可能な最大または最小のアップリンク参照信号ポート数情報を含む。
【００６６】
ここで、前記コヒーレント伝送関係情報には、
同一のアップリンク参照信号リソースのアップリンク参照信号の少なくとも一部のポートはコヒーレント伝送が可能である旨の情報、または、すべてのポートはコヒーレント伝送ができない旨の情報を含む。
【００６７】
ここで、前記コヒーレント伝送関係情報のうち、アップリンク参照信号ポートのグルーピング情報には、具体的に、
１）前記アップリンク参照信号リソースの構成情報に１つのアップリンク参照信号リソースまたは複数のアップリンク参照信号リソースが含まれる場合、少なくとも１つのアップリンク参照信号リソースは、一部のアップリンク参照信号ポートのみのコヒーレント伝送が可能であること、または、
２）前記アップリンク参照信号リソースの構成情報に複数のアップリンク参照信号リソースが含まれる場合、各アップリンク参照信号リソースのすべてのアップリンク参照信号ポートはコヒーレント伝送ができ、異なるアップリンク参照信号リソース間ではコヒーレント伝送ができないこと、または、
３）前記アップリンク参照信号リソースの構成情報に複数のアップリンク参照信号リソースが含まれる場合、各アップリンク参照信号リソースのアップリンク参照信号ポートはコヒーレント伝送ができ、一部のアップリンク参照信号リソース間ではコヒーレント伝送ができること、または、
４）前記アップリンク参照信号リソースの構成情報に複数のアップリンク参照信号リソースが含まれる場合、１つのアップリンク参照信号リソースの一部のアップリンク参照信号ポートは、もう１つのアップリンク参照信号リソースの一部のアップリンク参照信号ポートとはコヒーレント伝送ができること、または、
５）前記アップリンク参照信号リソースの構成情報に複数のアップリンク参照信号リソースが含まれる場合、前記複数のアップリンク参照信号リソースがリソース群に分けられ、同一のリソース群のすべてのアップリンク参照信号リソースは、同じアップリンク参照信号ポート数を有し、同一のリソース群の任意の２つのアップリンク参照信号リソースは、同時にアップリンク参照信号の送信に用いられず、かつ同一のリソース群の任意の２つのアップリンク参照信号リソースは、同じアップリンク参照信号リソースのアップリンク参照信号ポート間のコヒーレント伝送関係を有すること、または、
６）前記アップリンク参照信号リソースの構成情報に複数のアップリンク参照信号リソースが含まれる場合、当該複数のアップリンク参照信号リソースは、リソース群に分けられ、任意の２つのリソース群は、同じアップリンク参照信号数およびリソース群のアップリンク参照信号ポート間のコヒーレント伝送関係を含み、かつ同時にアップリンク参照信号の送信に用いられないことを含む。
【００６８】
ここで、前記構成情報は、
アップリンク参照信号リソース数、および、各アップリンク参照信号リソースに含まれるアップリンク参照信号ポート数を含む。
【００６９】
ここで、前記コヒーレント伝送関係情報は、
１１）前記アップリンク参照信号リソースの構成情報に複数のアップリンク参照信号リソースが含まれる場合、前記コヒーレント伝送関係情報は、そのうちの１つのアップリンク参照信号リソースのアップリンク参照信号ポート間のコヒーレント伝送関係であり、当該関係がすべてのアップリンク参照信号リソースに応用されること、または、
１５）前記アップリンク参照信号リソースの構成情報に複数のアップリンク参照信号リソース群が含まれる場合、各アップリンク参照信号リソース群には１つまたは複数のアップリンク参照信号リソースを含み、前記コヒーレント伝送関係情報は、１つのアップリンク参照信号リソースのアップリンク参照信号ポート間のコヒーレント伝送関係を指示し、当該関係が当該アップリンク参照信号リソースの位置するアップリンク参照信号リソース群のすべてのアップリンク参照信号リソースに応用されること、または、
１６）前記アップリンク参照信号リソースの構成情報に複数のアップリンク参照信号リソース群が含まれる場合、前記コヒーレント伝送関係情報は、１つのアップリンク参照信号リソース群のアップリンク参照信号ポート間のコヒーレント伝送関係を指示し、当該関係がすべてのアップリンク参照信号リソース群に応用されること、を含む。
【００７０】
ここで、前記コヒーレント伝送関係情報は、
前記アップリンク参照信号ポートと前記アンテナ群とのマッピング関係であり、
または、
前記コヒーレント伝送関係情報は、
前記アップリンク参照信号リソースと前記アンテナ群とのマッピング関係である。
【００７１】
ここで、端末から、基地局によって構成される構成情報に基づいて送信されるアップリンク参照信号を受信する前に、
端末のコヒーレント伝送力およびアップリンク参照信号リソースの構成情報に基づいて、基地局から端末に対し構成するアップリンク参照信号リソースに含まれるアップリンク参照信号ポート間のコヒーレント伝送関係を特定することをさらに含み、
ここで、前記コヒーレント伝送関係と端末のコヒーレント伝送力とのマッピング関係は、予め定義されており、
前記アップリンク参照信号リソースの構成情報に基づいてアップリンク参照信号を送信することは、
コヒーレント伝送関係に基づいて、アップリンク参照信号の送信に用いられるアンテナを特定することを含み、
ここで、コヒーレント伝送が可能なアンテナを使用し、コヒーレント伝送が可能なアップリンク参照信号ポートでアップリンク参照信号を送信する。
【００７２】
ここで、アップリンク参照信号リソースの構成情報を端末に対し構成することは、
端末に対し構成するアップリンク参照信号リソースの構成情報を直接的に端末に送信することを含む。
【００７３】
ここで、端末から、基地局によって構成される構成情報に基づいて送信されるアップリンク参照信号を受信する前に、
端末から送信されるアップリンク参照信号間のコヒーレント伝送情報を受信することをさらに含む。
【００７４】
ここで、前記コヒーレント伝送関係情報は、具体的に、
アップリンク参照信号ポートのグルーピング情報を含み、
ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われない。
【００７５】
ここで、基地局によって特定されるアップリンク参照信号リソースの指示情報を端末に送信することにおいて、
前記アップリンク伝送の指示情報は、
ＳＲＩ、または、ＴＰＭＩおよびＴＲＩ、または、ＴＰＭＩ、ＴＲＩおよびＳＲＩの指示情報を含む。
【００７６】
ここで、前記コヒーレント伝送関係に基づいてアップリンク伝送の指示情報を特定する。
【００７７】
本開示は、端末をさらに提供する。
当該端末は、
基地局から端末に対し構成するアップリンク参照信号リソースの構成情報を取得するための取得モジュールと、
前記アップリンク参照信号リソースの構成情報に基づいてアップリンク参照信号を送信するための送信モジュールと、
基地局によって特定されるアップリンク伝送の指示情報を受信するための受信モジュールと、を含み、
前記送信モジュールは、さらに、前記指示情報に基づいてアップリンク伝送を行うことに用いられる。
【００７８】
ここで、前記送信モジュールは、さらに、
端末のコヒーレント伝送力情報を基地局に送信することに用いられる。
【００７９】
ここで、前記受信モジュールは、具体的に、
基地局から端末のコヒーレント伝送力情報に基づいて特定したアップリンク参照信号リソースの構成情報を受信することに用いられる。
【００８０】
ここで、前記受信モジュールは、さらに、
前記基地局から送信される前記アップリンク参照信号リソースに含まれるアップリンク参照信号ポート間のコヒーレント伝送関係情報を受信することに用いられる。
【００８１】
ここで、前記送信モジュールは、具体的に、
前記アップリンク参照信号リソースの構成情報と前記コヒーレント伝送関係情報に基づいて、アップリンク参照信号リソースの構成情報に含まれる各アップリンク参照信号ポートに対応する送信アンテナを特定し、前記アンテナでアップリンク参照信号を送信することに用いられる。
【００８２】
ここで、前記基地局から端末に対し構成するアップリンク参照信号リソースに含まれるアップリンク参照信号ポート間のコヒーレント伝送関係と、端末のコヒーレント伝送力とのマッピング関係は、予め定義されている。
【００８３】
ここで、前記送信モジュールは、さらに、
端末のコヒーレント伝送力およびアップリンク参照信号リソースの構成情報に基づいて、基地局から端末に対し構成するアップリンク参照信号リソースに含まれるアップリンク参照信号ポート間のコヒーレント伝送関係を特定することに用いられ、
ここで、前記コヒーレント伝送関係と端末のコヒーレント伝送力とのマッピング関係は、予め定義されており、
前記アップリンク参照信号リソースの構成情報に基づいてアップリンク参照信号を送信することは、
コヒーレント伝送関係に基づいて、アップリンク参照信号の送信に用いられるアンテナを特定することを含み、
ここで、コヒーレント伝送が可能なアンテナを使用し、コヒーレント伝送が可能なアップリンク参照信号ポートでアップリンク参照信号を送信する。
【００８４】
ここで、前記送信モジュールは、さらに、
基地局から端末に対し構成するアップリンク参照信号リソースに含まれるアップリンク参照信号ポート間のコヒーレント伝送関係情報を基地局に送信することに用いられる。
【００８５】
ここで、前記送信モジュールは、さらに、
前記コヒーレント伝送関係に基づいて、各アップリンク参照信号の伝送に用いられる送信アンテナを特定することに用いられ、
ここで、コヒーレント伝送が可能なアンテナを使用し、コヒーレント伝送が可能なアップリンク参照信号ポートでアップリンク参照信号を送信する。
【００８６】
ここで、前記受信モジュールは、具体的に、
ＳＲＩ、または、ＴＰＭＩおよびＴＲＩ、または、ＴＰＭＩ、ＴＲＩおよびＳＲＩの指示情報を含む前記アップリンク伝送の指示情報に基づいて、アップリンク伝送のプリコーディング行列、伝送ストリーム数および用いられるアンテナを特定すること、または、
前記指示情報および前記コヒーレント伝送関係に基づいて、アップリンク伝送のプリコーディング行列、伝送ストリーム数および用いられるアンテナを特定することに用いられる。
【００８７】
本開示は、トランシーバと、メモリと、プロセッサと、前記メモリに記憶されて前記プロセッサで実行可能なコンピュータプログラムを含む端末をさらに提供する。
前記プロセッサは、メモリから読み取ることによって、
基地局から端末に対し構成するアップリンク参照信号リソースの構成情報を取得するプロセスと、
前記アップリンク参照信号リソースの構成情報に基づいてアップリンク参照信号を送信するプロセスと、
基地局によって特定されるアップリンク伝送の指示情報を受信するプロセスと、
前記指示情報に基づいてアップリンク伝送を行うプロセスと、をトランシーバに実行させるように制御することに用いられる。
【００８８】
本開示は、基地局をさらに提供する。
当該基地局は、
アップリンク参照信号リソースの構成情報を端末に対し構成するための構成モジュールと、
端末から、基地局によって構成される構成情報に基づいて送信されるアップリンク参照信号を受信するための受信モジュールと、
基地局によって特定されるアップリンク伝送用の指示情報を端末に送信するための送信モジュールと、
を含む。
【００８９】
ここで、前記受信モジュールは、さらに、
端末から送信される端末のコヒーレント伝送力情報を受信することに用いられる。
【００９０】
ここで、前記構成モジュールは、具体的に、
端末から報知されるコヒーレント伝送力情報に基づいて、アップリンク参照信号リソースの構成情報を特定することに用いられる。
【００９１】
ここで、前記送信モジュールは、さらに、
前記アップリンク参照信号リソースに含まれるアップリンク参照信号ポート間のコヒーレント伝送関係情報を端末に送信することに用いられる。
【００９２】
ここで、前記基地局から端末に対し構成するアップリンク参照信号リソースに含まれるアップリンク参照信号ポート間のコヒーレント伝送関係と、端末のコヒーレント伝送力とのマッピング関係は、予め定義されている。
【００９３】
ここで、前記送信モジュールは、さらに、
端末に対し構成するアップリンク参照信号リソースの構成情報を直接的に端末に送信することに用いられる。
【００９４】
ここで、前記受信モジュールは、さらに、
端末から送信されるアップリンク参照信号ポート間のコヒーレント伝送情報を受信することに用いられる。
【００９５】
ここで、前記送信モジュールは、具体的に、
アップリンク参照信号に基づいて特定したアップリンク伝送用の指示情報を端末に送信することに用いられ、
前記指示情報は、
アップリンクスケジューリング要求指示ＳＲＩ、または、ＴＰＭＩおよびＴＲＩ、または、ＴＰＭＩ、ＴＲＩおよびＳＲＩの指示情報を含む。
【００９６】
ここで、前記送信モジュールは、さらに、
前記コヒーレント伝送関係に基づいてアップリンク伝送の指示情報を特定することに用いられる。
【００９７】
本開示は、トランシーバと、メモリと、プロセッサと、前記メモリに記憶されて前記プロセッサで実行可能なコンピュータプログラムを含む基地局をさらに提供する。
前記プロセッサは、
前記コンピュータプログラムを実行すると、アップリンク参照信号リソースの構成情報を端末に対し構成するプロセスと、
端末から、基地局によって構成される構成情報に基づいて送信されるアップリンク参照信号を受信するプロセスと、
基地局によって特定されるアップリンク伝送用の指示情報を端末に送信するプロセスと、をトランシーバに実行させるように制御することに用いられる。
【００９８】
本開示は、コンピュータプログラムが記憶されているコンピュータ読み取り可能な記憶媒体をさらに提供する。
当該プログラムがプロセッサによって実行されると、以上記載した方法が実現される。
【発明の効果】
【００９９】
本開示の上記プランにおいて、端末は、基地局から端末に対し構成するアップリンク参照信号リソースの構成情報を取得し、前記アップリンク参照信号リソースの構成情報に基づいてアップリンク参照信号を送信し、基地局によって特定されるアップリンク伝送の指示情報を受信し、前記指示情報に基づいてアップリンク伝送を行う。よって、アップリンク参照信号ポート間のコヒーレント伝送（ｃｏｈｅｒｅｎｔ  ｔｒａｎｓｍｉｓｓｉｏｎ）関係のやり取りが実現され、端末のアップリンク伝送性能を確保する。
【図面の簡単な説明】
【０１００】
【図１】本開示の一部実施例における端末側のアップリンク伝送方法のフローチャートである。
【図２】図１に示す方法の第１実現プランの流れのやり取り図である。
【図３】図１に示す方法の第２実現プランの流れのやり取り図である。
【図４】図１に示す方法の第３実現プランの流れのやり取り図である。
【図５】本開示の一部実施例における基地局側のアップリンク伝送の構成方法のフローチャートである。
【図６】本開示の一部実施例における端末または基地局のハードウェア機器構造図である。
【発明を実施するための形態】
【０１０１】
以下、添付図面を参照して本開示の例示的な実施例をさらに詳細に記載する。本開示の例示的な実施例を図面に示しているが、本開示は、ここで説明した実施例に限定されることなく様々な形態で実現されうることが理解されるべきである。これらの実施例を示すことは、本開示をより徹底的に理解してもらい、本開示の範囲を当業者に全面的に伝えるためである。
【０１０２】
本開示の一部実施例におけるアップリンク参照信号とは、アップリンクチャネル品質測定、および／または、ビーム測定、および／または、時間周波数測定などの機能を有するアップリンク参照信号を指し、選択可能に、ＳＲＳ（Ｓｏｕｎｄｉｎｇ  Ｒｅｆｅｒｅｎｃｅ  Ｓｉｇｎａｌ）である。
【０１０３】
図１に示すように、本開示の一部実施例は、アップリンク伝送方法を提供し、
基地局から端末に対し構成するアップリンク参照信号リソースの構成情報を取得するステップ１１と、
前記アップリンク参照信号リソースの構成情報に基づいてアップリンク参照信号を送信するステップ１２と、
基地局によって特定されるアップリンク伝送の指示情報を、端末が受信するステップ１３と、
前記指示情報に基づいてアップリンク伝送を行うステップ１４と、を含む。
【０１０４】
具体的に、当該方法の第１実現プランとしてのアップリンク伝送方法は、以下のステップを含む。
【０１０５】
ステップ２１において、端末のコヒーレント伝送力情報を基地局に送信する。端末のコヒーレント伝送力情報は、端末でサポートされるアンテナのコヒーレント伝送力である。前記アンテナは、物理アンテナ、送信チェーン、送受信ユニットＴＸＲＵまたはアップリンク参照信号ポートである。
【０１０６】
ステップ２２において、基地局によって特定されたアップリンク参照信号リソースの構成情報を受信する。
【０１０７】
選択可能に、基地局は、端末から送信されるコヒーレント伝送力情報に基づいて、アップリンク参照信号リソースの構成および構成情報を特定する。
【０１０８】
アップリンク参照信号リソースの構成情報に基づいてアップリンク参照信号を送信する前に、
前記基地局から送信される前記アップリンク参照信号リソースに含まれるアップリンク参照信号ポート間のコヒーレント伝送関係情報を受信するステップ２０をさらに含む。
【０１０９】
ここで、前記コヒーレント伝送関係情報は、各アップリンク参照信号リソースのアップリンク参照信号ポート間のコヒーレント伝送関係情報である。前記コヒーレント伝送関係情報は、前記アップリンク参照信号リソースの構成情報に含まれる。または、前記コヒーレント伝送関係情報は、単独に指示される情報である。前記コヒーレント伝送関係情報は、前記コヒーレント伝送力情報に基づいて特定される。前記コヒーレント伝送関係は、コヒーレント伝送力情報に基づかずに特定されてもよい。たとえば、端末のすべてのアンテナはコヒーレント伝送が可能であることが、前記コヒーレント伝送力情報によって指示されても、基地局から送信されるコヒーレント伝送関係情報は、すべてのアップリンク参照信号ポートはコヒーレント伝送が行われない旨であってもよい。
【０１１０】
ステップ２３において、前記アップリンク参照信号リソースの構成情報と前記コヒーレント伝送関係情報に基づいて、アップリンク参照信号リソースの構成情報に含まれる各アップリンク参照信号ポートに対応する送信アンテナを特定し、前記アンテナでアップリンク参照信号を送信する。
【０１１１】
ステップ２４において、端末は、基地局から、前記コヒーレント伝送関係および前記基地局によって受信されるアップリンク参照信号に基づいて特定されるアップリンク伝送指示情報を受信する。
【０１１２】
前記コヒーレント伝送関係情報は、各アップリンク参照信号リソースのアップリンク参照信号ポート間のコヒーレント伝送関係情報である。
【０１１３】
前記コヒーレント伝送関係情報は、前記アップリンク参照信号リソースの構成情報に含まれる。または、前記コヒーレント伝送関係情報は、単独に指示される情報である。
【０１１４】
選択可能に、前記コヒーレント伝送関係情報は、前記コヒーレント伝送力情報に基づいて特定される。
または、選択可能に、前記アップリンク伝送の指示情報およびそれによって指示される内容は、前記コヒーレント伝送関係、および、前記基地局によって受信されるアップリンク参照信号に基づいて特定される。
【０１１５】
選択可能に、前記コヒーレント伝送関係情報は、具体的に、アップリンク参照信号ポートのグルーピング情報を含む。ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われない。
【０１１６】
選択可能に、前記コヒーレント伝送関係情報は、具体的に、コヒーレント伝送が可能な最大または最小のアップリンク参照信号ポート数情報を含む。
【０１１７】
選択可能に、前記コヒーレント伝送関係情報には、同一のアップリンク参照信号リソースのアップリンク参照信号の少なくとも一部のポートはコヒーレント伝送が可能である旨の情報、または、すべてのポートはコヒーレント伝送ができない旨の情報を含む。
【０１１８】
具体的に、図２に示すように、アップリンク伝送方法は、以下のステップを含む。
【０１１９】
ステップ１において、ＵＥは、コヒーレント伝送力を報知する。
【０１２０】
ステップ２において、基地局は、アップリンク参照信号リソースの構成情報を特定し、前記構成情報を端末に送信する。
【０１２１】
選択可能に、基地局は、端末のコヒーレント伝送力に基づいて、アップリンク参照信号リソースの構成情報を特定する。
選択可能に、基地局から端末に送信されるアップリンク参照信号リソースの構成情報には、各アップリンク参照信号リソースのアップリンク参照信号のアップリンク参照信号ポートのコヒーレント伝送関係情報を含む。
【０１２２】
ステップ３において、端末は、基地局から構成されるアップリンク参照信号リソースに基づいて、アップリンク参照信号を送信する。
【０１２３】
ステップ４において、基地局は、端末から送信されるアップリンク参照信号を受信し、ＳＲＩおよび／またはＴＰＭＩ、ＴＲＩを特定する。
【０１２４】
ステップ５において、基地局は、アップリンク伝送用のＳＲＩおよび／またはＴＰＭＩ、ＴＲＩ指示を端末に送信する。
【０１２５】
ステップ６において、端末は、アップリンク伝送のプリコーディング、データストリーム数および用いられるアンテナを特定する。
【０１２６】
本開示の一部実施例において、ステップ２とステップ３とは、時間上の順番関係として互換可能である。基地局が、端末のコヒーレント伝送力に基づいてアップリンク参照信号リソースの構成情報を特定するのであれば、ＵＥからコヒーレント伝送力を報知するステップは、基地局がアップリンク参照信号リソースの構成情報を特定するステップより前に行われる必要がある。そうでなければ、ＵＥからコヒーレント伝送力を報知するステップは、基地局がアップリンク参照信号リソースの構成情報を特定して送信するステップより前に行われてもよく、基地局がアップリンク参照信号リソースの構成情報を特定して送信するステップより後に行われてもよい。
【０１２７】
本開示の一部実施例において、端末から報知されるコヒーレント伝送力は、少なくとも端末のコヒーレント伝送力情報に含まれるアンテナグルーピング情報を含み、ここで、各アンテナ群内のアンテナは、コヒーレント伝送が可能であり、異なるアンテナ群内のアンテナは、コヒーレント伝送ができない。
【０１２８】
選択可能に、前記アンテナグルーピング情報は、アンテナ群数情報と、各アンテナ群に含まれるアンテナ数の情報を含む。
【０１２９】
選択可能に、端末のコヒーレント伝送力情報は、アンテナ総数情報をさらに含む。
【０１３０】
選択可能に、端末のコヒーレント伝送力情報には、端末の少なくとも一部のアンテナはコヒーレント伝送ができる旨の情報、または、端末のすべてのアンテナはコヒーレント伝送ができない旨の情報を含む。
【０１３１】
選択可能に、端末のコヒーレント伝送力情報は、端末のコヒーレント伝送が可能な最大アンテナ数情報または最小アンテナ数情報を含む。
【０１３２】
選択可能に、前記コヒーレント伝送関係情報は、具体的に、アップリンク参照信号ポートのグルーピング情報を含み、
ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われない。
【０１３３】
選択可能に、前記コヒーレント伝送関係情報は、具体的に、コヒーレント伝送が可能な最大または最小のアップリンク参照信号ポート数情報を含む。
【０１３４】
選択可能に、前記コヒーレント伝送関係情報には、同一のアップリンク参照信号リソースのアップリンク参照信号の少なくとも一部のポートはコヒーレント伝送が可能である旨の情報、または、すべてのポートはコヒーレント伝送ができない旨の情報を含む。
【０１３５】
具体的に、端末のコヒーレント伝送力情報は、以下の情報のうちの１つまたは複数を含む。
端末でサポートされるアンテナ数；
端末のすべてのアンテナは、コヒーレント伝送が可能である；
端末のすべてのアンテナは、コヒーレント伝送ができない；
端末のコヒーレント伝送が可能なアンテナ群の数；
端末のコヒーレント伝送が可能各アンテナ群に含まれるアンテナ数；
端末でサポートされるコヒーレント伝送が可能な最大アンテナ数（たとえば最多で１つのアンテナのコヒーレント伝送をサポートし（すなわちアンテナ間のコヒーレント伝送をサポートしない）、最多で２つ、４つのアンテナのコヒーレント伝送をサポートするなど）；
端末でサポートされる特定値のアンテナ数を含むアンテナ群の数（前記特定値は、たとえば、下記表のように、端末と基地局との間で取り決められた値であり、または、端末と基地局との間で取り決められたルールに基づいて特定される値である）；
【表１】
2020536413.tif 000003
…
端末でサポートされるアンテナパネルの数；
端末でサポートされる各アンテナパネルに含まれるアンテナ数；
端末でサポートされるアンテナパネルと端末のコヒーレント伝送が可能なアンテナ群とのマッピング関係情報；
端末でサポートされる１つまたは複数のパネルのアンテナ数；
端末でサポートされる１つまたは複数のパネルのアンテナのコヒーレント伝送の可否；
端末でサポートされる１つまたは複数のパネルのコヒーレント伝送が可能なアンテナ群の数；
端末でサポートされる１つまたは複数のパネルのコヒーレント伝送が可能な各アンテナ群に含まれるアンテナ数；
端末の１つまたは複数のパネルでサポートされるコヒーレント伝送が可能な最大アンテナ数；
端末の１つまたは複数のパネルで特定値のアンテナ数を含むアンテナ群の数。
【０１３６】
選択可能に、端末からアンテナ間のコヒーレント伝送力が報知されないのであれば、端末のすべてのアンテナはコヒーレント伝送ができないことを初期設定とする。
【０１３７】
選択可能に、端末からアンテナ間のコヒーレント伝送力が報知されないのであれば、端末のすべてのアンテナはコヒーレント伝送ができることを初期設定とする。
【０１３８】
選択可能に、以上の情報以外に、端末は、端末でサポートされる最大データストリーム数情報も報知する。
【０１３９】
１つの実施例として、コヒーレント伝送力情報に一部の状態しか含まず、各状態は、端末のアンテナについて、すべてコヒーレント伝送が可能であるか否か、または、すべてコヒーレント伝送ができないか否か、または、一部しかコヒーレント伝送ができないか否かを示す。
【０１４０】
【表２】
2020536413.tif 000004
【０１４１】
ここで、一部コヒーレント伝送の場合、端末の同時にコヒーレント伝送可能な最大アンテナ数または同時にコヒーレント伝送可能な最小アンテナ数に対応してもよい。当該数値は、その他の専用の情報に付帯され、または一定の取り決めに基づいて取得される。たとえば、一部コヒーレント伝送について、２つのアンテナのコヒーレント伝送が可能であることに対応すると取り決める。具体的に、端末では複数のアンテナ群が含まれ、各アンテナ群に２つのアンテナが含まれ、アンテナ群内のアンテナはコヒーレント伝送が可能であり、アンテナ群間のアンテナはコヒーレント伝送ができないことを意味する。
【０１４２】
別の実施例として、コヒーレント伝送力情報に含まれる各状態は、端末のコヒーレント伝送が可能な最大アンテナ数を示す。
【０１４３】
【表３】
2020536413.tif 000005
【０１４４】
または、
【表４】
2020536413.tif 000006
【０１４５】
別の実施例として、コヒーレント伝送力情報に含まれる各状態は、端末のコヒーレント伝送が可能な最小アンテナ数を示す。
【０１４６】
【表５】
2020536413.tif 000007
【０１４７】
または、
【表６】
2020536413.tif 000008
【０１４８】
ここで、端末の同時にコヒーレント伝送が可能な最小アンテナ数は、仮にコヒーレント伝送が可能なアンテナを１つのコヒーレント伝送アンテナ群と見なし、すべてのコヒーレント伝送アンテナ群に含まれるアンテナ数の最小値に対応する。
【０１４９】
選択可能に、２ビットで端末のアンテナのコヒーレント伝送力を指示する。
【０１５０】
本開示の一部実施例において、ステップ２で基地局がアップリンク参照信号リソースの構成情報を特定して前記構成情報を端末に送信する場合、前記アップリンク参照信号リソースの構成およびコヒーレント伝送関係情報のうち、アップリンク参照信号ポートのグルーピング情報は、具体的に、以下の６つの方式を含む。
方式１：基地局から１つまたは複数のアップリンク参照信号リソースを構成し、各アップリンク参照信号リソースで一部のアップリンク参照信号ポートは、コヒーレント伝送が可能である。
方式２：基地局から１つまたは複数のアップリンク参照信号リソースを構成し、各アップリンク参照信号リソースのアップリンク参照信号ポートは、コヒーレント伝送が可能であり、異なるアップリンク参照信号リソースの間では、コヒーレント伝送ができない。
方式３：基地局から複数のアップリンク参照信号リソースを構成し、各アップリンク参照信号リソースのアップリンク参照信号ポートは、コヒーレント伝送が可能であり、一部のアップリンク参照信号リソースの間でも、コヒーレント伝送が可能である。
方式４：基地局から複数のアップリンク参照信号リソースを構成し、１つのアップリンク参照信号リソースの一部のアップリンク参照信号ポートは、もう１つのアップリンク参照信号リソースの一部のアップリンク参照信号ポートとはコヒーレント伝送ができる。
方式５：基地局から複数のアップリンク参照信号リソースを構成し、当該複数のアップリンク参照信号リソースがリソース群に分けられ、同一のリソース群のすべてのアップリンク参照信号リソースは、同じアップリンク参照信号ポート数を有し、同一のリソース群の任意の２つのアップリンク参照信号リソースは、同じアップリンク参照信号リソースのアップリンク参照信号ポート間のコヒーレント伝送関係を有する。選択可能に、同一のリソース群の任意の２つのアップリンク参照信号リソースは、同時にアップリンク参照信号の送信に用いられない。
方式６：基地局から複数のアップリンク参照信号リソースを構成し、当該複数のアップリンク参照信号リソースは、リソース群に分けられ、任意の２つのリソース群は、同じアップリンク参照信号リソース構成およびリソース群のアップリンク参照信号リソースのアップリンク参照信号ポート間のコヒーレント伝送関係を含む。選択可能に、２つのアップリンク参照信号リソース群は、同時にアップリンク参照信号の送信に用いられない。
【０１５１】
ステップ２では、基地局から端末にアップリンク参照信号リソースの構成情報を通知し、前記構成情報には、構成されたアップリンク参照信号リソースの数、および、各アップリンク参照信号リソースに含まれるアップリンク参照信号ポート数を含む。
【０１５２】
方式１、５、６の場合、選択可能に、基地局から端末に送信されるアップリンク参照信号リソースの構成情報には、各アップリンク参照信号リソースのアップリンク参照信号ポートのコヒーレント伝送関係情報を含む。
【０１５３】
選択可能に、前記構成情報は、アップリンク参照信号リソース数および各アップリンク参照信号リソースに含まれるアップリンク参照信号ポート数を含む。
【０１５４】
前記コヒーレント伝送関係情報は、前記アップリンク参照信号ポートと前記アンテナ群とのマッピング関係であり、または、
前記コヒーレント伝送関係情報は、前記アップリンク参照信号リソースと前記アンテナ群とのマッピング関係である。
【０１５５】
前記アップリンク参照信号リソースの構成情報に基づいてアップリンク参照信号を送信する前に、
端末のコヒーレント伝送力およびアップリンク参照信号リソースの構成情報に基づいて、基地局から端末に対し構成するアップリンク参照信号リソースに含まれるアップリンク参照信号ポート間のコヒーレント伝送関係を特定することをさらに含む。前記コヒーレント伝送関係と端末のコヒーレント伝送力とのマッピング関係は、予め定義されている。
前記アップリンク参照信号リソースの構成情報に基づいてアップリンク参照信号を送信することは、
コヒーレント伝送関係に基づいて、アップリンク参照信号の送信に用いられるアンテナを特定することを含む。ここで、コヒーレント伝送が可能なアンテナを使用し、コヒーレント伝送が可能なアップリンク参照信号ポートでアップリンク参照信号を送信する。
【０１５６】
端末が、基地局によって特定されるアップリンク伝送の指示情報を受信してアップリンク伝送を行うステップは、
ＳＲＩ、または、ＴＰＭＩおよびＴＲＩ、または、ＴＰＭＩ、ＴＲＩおよびＳＲＩの指示情報を含む前記アップリンク伝送の指示情報に基づいて、アップリンク伝送のプリコーディング行列、伝送ストリーム数および用いられるアンテナを特定することを含む。
【０１５７】
アップリンク参照信号ポートのコヒーレント伝送関係情報は、どのアップリンク参照信号ポートはコヒーレント伝送が可能であるか、どのアップリンク参照信号ポートの間ではコヒーレント伝送ができないかを指示することに用いられる。具体的な方式として、以下のものが挙げられる。
【０１５８】
方法１：コヒーレント伝送が可能なアップリンク参照信号ポート群の情報のみを指示し、アップリンク参照信号ポート群の間ではコヒーレント伝送が行われないことを初期設定とする。１つのアップリンク参照信号リソースを例とし、仮にこのアップリンク参照信号リソースに４つのアップリンク参照信号ポートが含まれ、基地局から、１つめのアップリンク参照信号ポートと２つのアップリンク参照信号ポートはコヒーレント伝送が可能であることのみを指示すると、端末は、指示情報を受信すると、１つめと２つめのアップリンク参照信号ポートから１つのコヒーレント伝送が可能なアップリンク参照信号ポート群を構成し、３つめのアップリンク参照信号ポートが１つのアップリンク参照信号ポート群であり、４つめのアップリンク参照信号ポートが１つのアップリンク参照信号ポート群であり、これらのアップリンク参照信号ポート群の間ではコヒーレント伝送が行われないと見なす。すると、端末は、コヒーレント伝送が可能な２つのアンテナを選択して１つめと２つめのアップリンク参照信号ポートを送信し、また２つのアンテナを選択して３つめと４つのアップリンク参照信号ポートを送信する。端末の３つめと４つめのアップリンク参照信号ポートを送信するためのアンテナと、１つめと２つめのアップリンク参照信号ポートを送信するためのアンテナとは、コヒーレント伝送が可能な同一のアンテナ群に属してもよく、異なるコヒーレント伝送アンテナ群に属してもよい。選択可能に、端末の当該３つのアップリンク参照信号ポート群を送信するためのアンテナは、それぞれ、異なるコヒーレント伝送アンテナ群に属すると限定する。
【０１５９】
さらに、たとえば、基地局から、１つめのアップリンク参照信号ポートと２つめのアップリンク参照信号ポートはコヒーレント伝送が可能であり、３つめと４つめのアップリンク参照信号ポートはコヒーレント伝送が可能であると指示すると、端末は、指示情報を受信すると、１つめと２つめのアップリンク参照信号ポートから１つのコヒーレント伝送が可能なアップリンク参照信号ポート群を構成し、３つめと４つめのアップリンク参照信号ポートからもう一つのコヒーレント伝送が可能なアップリンク参照信号ポート群を構成し、当該２つのアップリンク参照信号ポート群の間ではコヒーレント伝送ができないと見なす。すると、端末は、少なくとも２つのアンテナを含む１つのコヒーレント伝送アンテナ群から２つのアンテナを選択して１つめのアップリンク参照信号ポートと２つめのアップリンク参照信号ポートに対応するアップリンク参照信号を伝送し、ほかのアンテナから２つのアンテナを選択してアップリンク参照信号ポート３、４に対応するアップリンク参照信号をそれぞれ伝送する。当該例は、基地局から複数のアップリンク参照信号リソースを構成した場合、各アップリンク参照信号リソースの指示まで拡張可能である。
【０１６０】
方法２：すべてのアップリンク参照信号ポート間のコヒーレント伝送関係を指示する。たとえば、含まれるアップリンク参照信号ポート群数、各アップリンク参照信号ポート群に含まれるアップリンク参照信号ポート数を指示し、基地局と端末では、同一のアップリンク参照信号ポート群内のアップリンク参照信号ポートはコヒーレント伝送が可能であり、異なるアップリンク参照信号ポート群内のアップリンク参照信号ポートはコヒーレント伝送が行われないことを初期設定とする。端末は、基地局から指示されるアップリンク参照信号ポート間のコヒーレント伝送関係に基づいて、各アップリンク参照信号ポートに対応するアンテナを特定し、コヒーレント伝送が可能なアップリンク参照信号ポートに対応するアンテナはコヒーレント伝送が可能なアンテナであることを保証する。この場合、選択可能に、アップリンク参照信号リソースの構成情報では、各アップリンク参照信号リソースに対応するアップリンク参照信号ポート数またはアップリンク参照信号リソース構成に含まれるアップリンク参照信号ポート総数を明示的に指示しなくてもよい。
【０１６１】
方法３：選択可能に、アップリンク参照信号リソースの構成情報は、すべてのアップリンク参照信号リソースのアップリンク参照信号ポート総数または各アップリンク参照信号リソースに含まれるアップリンク参照信号ポート数を含む。コヒーレント伝送が可能なアップリンク参照信号ポートから１つのアップリンク参照信号ポート群を構成するとする。選択可能に、端末は、多めのコヒーレント伝送が可能なアップリンク参照信号ポートを含むアップリンク参照信号ポート群を、小さめのアップリンク参照信号ポート番号にマッピングし、少なめのアップリンク参照信号ポートを含むアップリンク参照信号ポート群を、大きめのアップリンク参照信号ポート番号にマッピングしなければならない。このように、基地局から１つのアップリンク参照信号リソースが構成される場合、少なめのビットでアップリンク参照信号ポートのコヒーレント伝送情報をマッピングすることができる。たとえば、基地局から１つのアップリンク参照信号リソースが構成され、４つのアップリンク参照信号ポートが含まれると、アップリンク参照信号ポート間のコヒーレント伝送関係は、（１，１，１，１）、（２，１，１）、（２，２）、（３，１）、（４）のみを含み、指示するには３ビットを必要とする。ここで、（Ｘ１，Ｘ２，Ｘ３，Ｘ４）は、４つのアップリンク参照信号ポート群が存在することを示し、１つめの群にＸ１個のアップリンク参照信号ポートが含まれ、２つめの群にＸ２個のアップリンク参照信号ポートが含まれ、このように類推するが、群内のアップリンク参照信号ポート間ではコヒーレント伝送が可能であり、群の間では非コヒーレント伝送である。端末の伝送力に基づいて限定するのであれば、必要とするビット数は、もっと少ない。たとえば、端末では最多で２つのアップリンク参照信号ポートのコヒーレント伝送をサポートすると、（１，１，１，１）、（２，１，１）、（２，２）との３つのケースのみを含み、指示を行うには２ビットで十分である。選択可能に、アップリンク参照信号ポート間のコヒーレント伝送関係と、アップリンク参照信号リソースに含まれるアップリンク参照信号ポート数とは、統合符号化が行われる。たとえば、基地局から１つのアップリンク参照信号リソースが構成され、１つのアップリンク参照信号リソースで構成可能なアップリンク参照信号ポート数が２、４であると、アップリンク参照信号ポート間のコヒーレント伝送関係は、最多で（１，１）、（２）、（１，１，１，１）、（２，１，１）、（２，２）、（３，１）、（４）であり、アップリンク参照信号リソースに含まれるアップリンク参照信号ポート数とアップリンク参照信号ポート間のコヒーレント伝送関係に必要される総ビット数は、３である。上記の例とは同様に、端末のコヒーレント伝送力に基づいて限定するのであれば、必要されるビット数は、もっと少ない。すなわち、端末のコヒーレント伝送力とアップリンク参照信号リソースで構成可能なアップリンク参照信号ポート数に基づいてアップリンク参照信号ポート間のコヒーレント伝送関係に必要なビット数、または、アップリンク参照信号ポート間のコヒーレント伝送関係とアップリンク参照信号ポート数に必要なビット数を特定する。
【０１６２】
方法４：基地局から複数のアップリンク参照信号リソースが構成され、１つのアップリンク参照信号リソースのアップリンク参照信号ポート間のコヒーレント伝送関係を指示し、当該関係がすべてのアップリンク参照信号リソースに応用される。このアップリンク参照信号リソースのアップリンク参照信号ポート間のコヒーレント伝送関係の具体的な指示方法は、方式１または２または３である。（この方式は、ビーム管理に用いることができ、ビームスキャンの送受信ケースに用いられる。異なるアップリンク参照信号リソースは、異なる送信ビームまたは異なる受信ビームに対応する。）端末は、基地局から指示されるアップリンク参照信号リソースのアップリンク参照信号ポート間のコヒーレント伝送関係に基づいて、各アップリンク参照信号ポートに対応するアンテナを特定し、コヒーレント伝送が可能なアップリンク参照信号ポートを伝送するためのアンテナはコヒーレント伝送が可能なアンテナであることを保証する。端末は、異なるアップリンク参照信号リソースに対し、同じアンテナでアップリンク参照信号を送信する。
【０１６３】
方法５：基地局から複数のアップリンク参照信号リソース群が構成され、各アップリンク参照信号リソース群に１つまたは複数のアップリンク参照信号リソースが含まれ、１つのアップリンク参照信号リソースのアップリンク参照信号ポート間のコヒーレント伝送関係を指示し、当該関係が当該アップリンク参照信号リソースの位置するアップリンク参照信号リソース群のすべてのアップリンク参照信号リソースに応用される。このアップリンク参照信号リソースのアップリンク参照信号ポート間のコヒーレント伝送関係の具体的な指示方法は、方式１または２または３である。端末は、基地局から指示されるアップリンク参照信号リソースのアップリンク参照信号ポート間のコヒーレント伝送関係に基づいて、各アップリンク参照信号ポートに対応するアンテナを特定し、コヒーレント伝送が可能なアップリンク参照信号ポートを伝送するためのアンテナはコヒーレント伝送が可能なアンテナであることを保証する。端末は、異なるアップリンク参照信号リソースに対し、同じアンテナでアップリンク参照信号を送信する。
【０１６４】
方法６：基地局から複数のアップリンク参照信号リソース群が構成され、基地局から１つのアップリンク参照信号リソース群のアップリンク参照信号ポート間のコヒーレント伝送関係を指示し、当該関係がすべてのアップリンク参照信号リソース群に応用される。このアップリンク参照信号リソース群のアップリンク参照信号ポート間のコヒーレント伝送関係の具体的な指示方法は、方式１または２または３である。（１つの応用ケースとして、異なるアップリンク参照信号リソース群は、異なる送信ビームまたは異なる受信ビームに対応する。）端末は、基地局から指示される１つのアップリンク参照信号リソース群のアップリンク参照信号リソースのアップリンク参照信号ポート間のコヒーレント伝送関係に基づいて、各アップリンク参照信号ポートに対応するアンテナを特定し、コヒーレント伝送が可能なアップリンク参照信号ポートを伝送するためのアンテナはコヒーレント伝送が可能なアンテナであることを保証する。端末は、異なるアップリンク参照信号リソース群に対し、同じアンテナでアップリンク参照信号を送信する。
【０１６５】
方式１の場合、選択可能に、基地局から１つのアップリンク参照信号リソースのみを構成し、端末と基地局では、基地局から構成されるアップリンク参照信号リソースのアップリンク参照信号ポートのコヒーレント伝送関係が、端末から報知されるコヒーレント伝送力に対応することを初期設定とする。たとえば、端末から報知される第ＮＫ個のコヒーレント伝送アンテナ群にＭｋ個のアンテナが含まれると、基地局から構成されるアップリンク参照信号リソースの前からＭ１個のアップリンク参照信号ポートは、端末から報知される第１個のアンテナ群に対応し、…、基地局から構成されるアップリンク参照信号リソースの第
【数１】
2020536413.tif 000009
個〜第
【数２】
2020536413.tif 000010
個のアップリンク参照信号ポートは、端末から報知される第ｋ個のアンテナ群に対応し、このように類推する。この方式は、１つのアップリンク参照信号リソースが複数のコヒーレント伝送アンテナ群に対応するまで拡張可能である。たとえば基地局から２つのアップリンク参照信号リソースが構成され、１つめのアップリンク参照信号リソースは、端末から報知される前からＸ１個のコヒーレント伝送アンテナ群に対応し、２つめのアップリンク参照信号リソースは、端末から報知される第Ｘ１＋１〜Ｘ２個のコヒーレント伝送アンテナ群に対応する。端末は、基地局のアップリンク参照信号構成情報を受信すると、このような初期設定の方式によって、各アップリンク参照信号リソースを伝送するためのアンテナを特定する。
【０１６６】
上記方法は、基地局から複数のアップリンク参照信号リソースを構成するケースまで容易に拡張可能であり、たとえば以上紹介した方法４〜６に対応し、ここでは例示的な解釈を行うが、逐一に説明しない。たとえば、基地局から複数のアップリンク参照信号リソースを構成し、端末と基地局では、基地局から構成されるアップリンク参照信号リソースのアップリンク参照信号ポートのコヒーレント伝送関係が、端末から報知されるコヒーレント伝送力に対応することを初期設定とする。たとえば、端末から報知される第ＮＫ個のコヒーレント伝送アンテナ群にＭｋ個のアンテナが含まれると、基地局から構成される各アップリンク参照信号リソースの前からＭ１個のアップリンク参照信号ポートは、端末から報知される第１個のアンテナ群に対応し、…、基地局から構成される各アップリンク参照信号リソースの第
【数３】
2020536413.tif 000011
個〜第
【数４】
2020536413.tif 000012
個のアップリンク参照信号ポートは、端末から報知される第ｋ個のアンテナ群に対応し、このように類推する。端末は、基地局のアップリンク参照信号構成情報を受信すると、このような初期設定の方式によって、各アップリンク参照信号リソースを伝送するためのアンテナを特定する。
【０１６７】
方式２（または方式２に対応する方式５〜６）の場合、基地局から送信されるアップリンク参照信号リソースの構成情報には、各アップリンク参照信号リソースに含まれるアップリンク参照信号ポート数情報が含まれると、端末は、各アップリンク参照信号リソースに含まれるアップリンク参照信号ポート数に基づいて、それに対応するアンテナｓを特定する。端末は、１つのアップリンク参照信号リソースに対応するアップリンク参照信号を伝送するためのアンテナｓの間ではコヒーレント伝送が可能であることを保証する必要がある。選択可能に、端末の当該３つのアップリンク参照信号ポート群を送信するためのアンテナは、異なるコヒーレント伝送アンテナ群にそれぞれ属すると限定する。
【０１６８】
方式２（または方式２に対応する方式５〜６）の場合、選択可能に、基地局から送信されるアップリンク参照信号リソースの構成情報には、各アップリンク参照信号リソースに含まれるアップリンク参照信号ポート数情報が含まれず、端末から報知される第ＮＫ個のコヒーレント伝送アンテナ群にＭｋ個のアンテナが含まれると、基地局から構成される１つめのアップリンク参照信号リソースにＭ１個のアップリンク参照信号ポートが含まれ、端末から報知される第１個のアンテナ群に対応し、…、基地局から構成される第Ｋ個のアップリンク参照信号リソースにＭｋ個のアップリンク参照信号ポートが含まれ、端末から報知される第ｋ個のアンテナ群に対応し、このように類推する。基地局から構成されるすべてのアップリンク参照信号リソースに含まれるアップリンク参照信号ポート総数は、端末から報知されるアンテナ総数とは、同一であり、または異なる。選択可能に、基地局から、構成されるすべてのアップリンク参照信号リソースのアップリンク参照信号ポート総数情報を送信する。
【０１６９】
方式３（または方式３に対応する方式５〜６）の場合、選択可能に、基地局から送信されるアップリンク参照信号リソースの構成情報には、アップリンク参照信号リソース間のコヒーレント伝送関係情報が含まれる。アップリンク参照信号リソース間のコヒーレント伝送関係情報は、どのアップリンク参照信号リソースのアップリンク参照信号ポートはコヒーレント伝送が可能であるか、どのアップリンク参照信号リソース間のアップリンク参照信号ポート間ではコヒーレント伝送ができないかを指示することに用いられる。一部の具体的な方式を以下で挙げられる。
【０１７０】
方法１：コヒーレント伝送が可能なアップリンク参照信号ポート群の情報のみを指示し、アップリンク参照信号ポート群の間ではコヒーレント伝送が行われないことを初期設定とする。基地局から４つのアップリンク参照信号リソースを構成したことを例とし、基地局から、１つめのアップリンク参照信号リソースと２つのアップリンク参照信号リソースはコヒーレント伝送が可能であることのみを指示すると、端末は、指示情報を受信すると、１つめと２つめのアップリンク参照信号リソースから１つのコヒーレント伝送が可能なアップリンク参照信号リソース群を構成し、３つめのアップリンク参照信号リソースが１つのアップリンク参照信号リソース群であり、４つめのアップリンク参照信号リソースが１つのアップリンク参照信号リソース群であり、これらのアップリンク参照信号リソース群の間ではコヒーレント伝送が行われないと見なす。すると、端末は、１つめのアップリンク参照信号リソースと２つのアップリンク参照信号リソースに含まれるアップリンク参照信号ポート数個のコヒーレント伝送が可能なアンテナを選択して１つめと２つめのアップリンク参照信号リソースを送信し、また３つめのアップリンク参照信号リソースに含まれるアップリンク参照信号ポート数個のコヒーレント伝送が可能なアンテナを選択して３つめのアップリンク参照信号リソースを送信し、４つめのアップリンク参照信号リソースに含まれるアップリンク参照信号ポート数個のコヒーレント伝送が可能なアンテナを選択して４つめのアップリンク参照信号リソースを送信する。端末の３つめと４つめのアップリンク参照信号リソースを送信するためのアンテナと、１つめと２つめのアップリンク参照信号リソースを送信するためのアンテナとは、コヒーレント伝送が可能な同一のアンテナ群に属してもよく、異なるコヒーレント伝送アンテナ群に属してもよい。選択可能に、端末の当該３つのアップリンク参照信号リソース群を送信するためのアンテナは、それぞれ、異なるコヒーレント伝送アンテナ群に属すると限定する。
【０１７１】
方法２：すべてのアップリンク参照信号リソース間のコヒーレント伝送関係を指示する。たとえば、いくつかのアップリンク参照信号リソース群を含むかを指示し、各アップリンク参照信号リソース群にいくつかのアップリンク参照信号リソースが含まれるかを指示する。端末は、基地局から指示されるアップリンク参照信号リソース間のコヒーレント伝送関係に基づいて、各アップリンク参照信号リソースに対応するアンテナを特定し、コヒーレント伝送が可能なアップリンク参照信号リソースのアップリンク参照信号ポートを伝送するためのアンテナはコヒーレント伝送が可能なアンテナであることを保証する。
【０１７２】
方法３：基地局から複数のアップリンク参照信号リソース群が構成され、１つのアップリンク参照信号リソース群のアップリンク参照信号リソース間のコヒーレント伝送関係を指示し、当該関係がすべてのアップリンク参照信号リソース群に応用される。このアップリンク参照信号リソース群のアップリンク参照信号リソース間のコヒーレント伝送関係の具体的な指示方法は、方式１または２である。端末は、基地局から指示されるアップリンク参照信号リソース群のアップリンク参照信号リソース間のコヒーレント伝送関係に基づいて、各アップリンク参照信号リソースのアップリンク参照信号ポートに対応するアンテナを特定し、コヒーレント伝送が可能なアップリンク参照信号リソースのアップリンク参照信号ポートを伝送するためのアンテナはコヒーレント伝送が可能なアンテナであることを保証する。端末は、異なるアップリンク参照信号リソース群に対し、同じアンテナでアップリンク参照信号を送信する。
【０１７３】
方法４、５、６は、上記方法４、５、６に類似する。
【０１７４】
選択可能に、基地局から端末にアップリンク参照信号リソースの構成情報を通知する。
前記構成情報は、前記アップリンク参照信号リソースと、端末から報知されるコヒーレント伝送が可能なアンテナ群とのマッピング関係情報を含む。
または、前記構成情報は、前記アップリンク参照信号リソースのアップリンク参照信号ポートと、端末から報知されるコヒーレント伝送が可能なアンテナ群とのマッピング関係情報を含む。
【０１７５】
選択可能に、アップリンク参照信号ポート間のコヒーレント伝送関係が基地局から一切送信されなければ、端末は、コヒーレント伝送が可能なアンテナで、同一のアップリンク参照信号リソースのアップリンク参照信号を送信しなければならない。
【０１７６】
選択可能に、アップリンク参照信号ポート間のコヒーレント伝送関係が基地局から一切送信されなければ、端末は、同一のアップリンク参照信号リソースのアップリンク参照信号について、非コヒーレント伝送のアンテナで送信可能であると見なす。
【０１７７】
選択可能に、アップリンク参照信号リソース間のコヒーレント伝送関係が基地局から一切送信されなければ、端末は、異なるアップリンク参照信号リソースの間では非コヒーレント伝送のアンテナで送信可能であると見なす。
【０１７８】
本開示の一部実施例において、上記ステップ３では、端末は、基地局から構成されるアップリンク参照信号リソースに基づいてアップリンク参照信号を送信する際に、基地局から送信されるアップリンク参照信号リソースの構成情報に基づいて、各アップリンク参照信号リソースの各アップリンク参照信号ポートに対応するアンテナを特定する。
【０１７９】
本開示の一部実施例において、上記ステップ４では、基地局は、端末から送信されるアップリンク参照信号を受信し、ＳＲＩ（ＳＲＳリソース指示情報またはアップリンク参照信号リソース指示情報）、および／または、ＴＰＭＩ、ＴＲＩおよびＭＣＳを特定する。
【０１８０】
基地局は、端末から送信されるアップリンク参照信号を受信し、一定のルールに準じてアップリンク伝送の層数、プリコーディング行列およびアップリンク参照信号リソースを特定する。当該ルールは、ＲＳＲＰ最大ルール、スループット最大ルール、ユーザ間干渉を考慮したルールなどである。
【０１８１】
基地局は、端末に対し１つのアップリンク参照信号リソースしか構成しない場合、アップリンク参照信号リソースの選択を行う必要がない。
【０１８２】
基地局は、端末に対し構成した各アップリンク参照信号リソースに１つのアップリンク参照信号ポートしか含まれない場合、ＳＲＩの選択のみをすればよく、プリコーディング行列の選択を行う必要がない。伝送層数は、選択したアップリンク参照信号リソース数に等しい。
【０１８３】
選択可能に、基地局は、アップリンク参照信号リソース構成に対応するアップリンク参照信号ポート間のコヒーレント伝送情報に基づいて、アップリンク伝送の層数、プリコーディング行列およびアップリンク参照信号リソースを特定する。具体的に、基地局は、プリコーディング行列を選択する場合、アップリンク参照信号リソース構成に対応するアップリンク参照信号ポート間のコヒーレント伝送情報に基づいてプリコーディング行列を選択するしかできず、アップリンク参照信号リソース構成に対応するアップリンク参照信号ポート間のコヒーレント伝送関係範囲を超えたプリコーディング行列を選択することができない。たとえば、基地局から構成されるアップリンク参照信号リソースに４つのアップリンク参照信号ポートが含まれ、基地局から、１つめと２つめのアップリンク参照信号ポートのみはコヒーレント伝送が可能であると指示する。すると、基地局は、プリコーディング行列を選択する場合、アップリンク参照信号ポート総数４に対応し、１つめと２つめのアップリンク参照信号ポートのみはコヒーレント伝送が可能であるプリコーディング行列からプリコーディング行列を選択するしかできない。プリコーディング行列候補には、１つめのアップリンク参照信号ポートと２つめのアップリンク参照信号ポートはコヒーレント伝送が行われないプリコーディング行列を含む。ここで、２つのアップリンク参照信号ポートのコヒーレント伝送に対応するプリコーディング行列とは、当該プリコーディング行列では、少なくとも１つの層に対応し、当該２つのアップリンク参照信号ポートにはゼロではない値が存在する。すなわち、当該２つのアップリンク参照信号ポートは、同一層に属するデータを同時に伝送することができる。
【０１８４】
選択可能に、基地局は、各アップリンク参照信号リソースに対し、それぞれプリコーディング行列を選択する。
【０１８５】
選択可能に、基地局は、すべてのありうるアップリンク参照信号リソースの同時伝送の組み合わせからなるセットをトラバーサルして最適なプリコーディング行列を選択する。ここで１つのアップリンク参照信号リソースの同時伝送の組み合わせとは、１つまたは複数のアップリンク参照信号リソースの同時伝送を指す。たとえば、基地局から３つのアップリンク参照信号リソースが構成される場合、すべてのありうるアップリンク参照信号リソースの同時伝送の組み合わせからなるセットは、｛１つめのアップリンク参照信号リソースのみでのアップリンク参照信号送信，２つめのアップリンク参照信号リソースのみでのアップリンク参照信号送信，３つめのアップリンク参照信号リソースのみでのアップリンク参照信号送信，１つめと２つめのアップリンク参照信号リソースでのアップリンク参照信号送信，１つめと３つめのアップリンク参照信号リソースでのアップリンク参照信号送信，２つめと３つめのアップリンク参照信号リソースでのアップリンク参照信号送信，１つめ、２つめ、３つめのアップリンク参照信号リソースでのアップリンク参照信号送信｝である。具体的に、基地局は、同時伝送のすべてのアップリンク参照信号リソースに含まれるアップリンク参照信号ポート総数に対応するコードブックからプリコーディング行列を選択し、または、同時伝送の各アップリンク参照信号リソースに対応するコードブックからプリコーディング行列を選択し、各アップリンク参照信号リソースのプリコーディング行列がウェイト値変換を経て全体的なプリコーディング行列を構成する。
【０１８６】
選択可能に、基地局は、すべてのアップリンク参照信号リソース群の各アップリンク参照信号リソース群内のすべてのありうるアップリンク参照信号リソースの同時伝送の組み合わせからなるセットをトラバーサルして、１つのアップリンク参照信号リソース群およびそれに対応するアップリンク参照信号リソースおよびプリコーディング行列、伝送層数を選択する。
【０１８７】
選択可能に、基地局は、各アップリンク参照信号リソース群で最多で１つのアップリンク参照信号リソースを選択することに対応するアップリンク参照信号リソースの同時伝送の組み合わせからなるセットをトラバーサルして、最適なプリコーディング行列を選択する。
【０１８８】
上記実施例において、ステップ５では、基地局は、アップリンク伝送用のＳＲＩ、ＴＰＭＩ、ＴＲＩ指示を端末に送信する。
【０１８９】
基地局から端末に対し１つのアップリンク参照信号リソースしか構成しない場合、指示情報には、ＳＲＩ指示情報を含む必要がない。
【０１９０】
基地局から端末に対し複数のアップリンク参照信号リソースを構成する場合、指示情報には、ＳＲＩ指示情報を含む必要がある。ＳＲＩ指示情報は、１つのアップリンク参照信号リソースのみを指示してもよく、複数のアップリンク参照信号リソースを指示してもよい。
【０１９１】
基地局から端末に対し複数のアップリンク参照信号リソースを構成し、かつ各アップリンク参照信号リソースに１つのアップリンク参照信号ポートしか含まれない場合、ＳＲＩの指示のみをすればよく、プリコーディング行列およびＴＲＩの指示を行う必要がない。ＳＲＩに対応するアップリンク参照信号リソース数は、データ層数に等しい。
【０１９２】
ＳＲＩは、単独符号化の方式が用いられる。単独符号化の方式が用いられると、ｂｉｔｍａｐ方式の使用が可能である。すなわち、１つのビットは、１つのアップリンク参照信号リソースに対応し、各ビットの１つの状態は、当該アップリンク参照信号リソースを選択することを示し、別の状態は、当該アップリンク参照信号リソースを選択しないことを示す。たとえば、基地局から４つのアップリンク参照信号リソースが構成されると、４ビットでアップリンク参照信号リソースの指示を行い、各ビットの状態１は、当該リソースを選択することを示し、状態０は、当該リソースを選択しないことを示す。すると、１１０１は、第１、２、４個のリソースを選択することを示す。ＳＲＩは、統合符号化の方式も用いられる。すなわち、すべてのアップリンク参照信号リソースをトラバーサルして組み合わせを選択し、統合符号化を行う。また基地局から４つのアップリンク参照信号リソースが構成されることを例とし、ｋ個のアップリンク参照信号リソースを選択するには
【数５】
2020536413.tif 000013
種類の可能性があり、アップリンク参照信号リソースの選択可能総数が
【数６】
2020536413.tif 000014
であるため、
【数７】
2020536413.tif 000015
ビットで符号化を行う。基地局から複数のアップリンク参照信号リソース群が構成されると、端末は、最多で１つのアップリンク参照信号リソース群の１つのアップリンク参照信号リソースと、ほかのアップリンク参照信号リソース群のアップリンク参照信号リソースのみからアップリンク参照信号を送信する場合、アップリンク参照信号リソース選択の組み合わせ数は、すべてのアップリンク参照信号リソースをトラバーサルする組み合わせの組み合わせ数より小さい。
【０１９３】
簡易化のために、以下ＳＲＩによって１つのリソースを指示することを例として記載するが、複数のアップリンク参照信号リソースの各アップリンク参照信号リソース、または、複数のアップリンク参照信号リソースの統合指示の方式まで拡張可能である。
【０１９４】
ＴＰＭＩおよびＴＲＩは、単独符号化で指示されてもよく、統合符号化で指示されてもよい。単独符号化の場合、ＤＣＩには、ＴＲＩを指示するための専用領域およびＴＰＭＩを指示するための専用領域を含む。
【０１９５】
選択可能に、ＴＰＭＩの符号化状態数は、ＴＲＩによって決められる。すなわちＴＲＩに対応するすべてのコードワードのみに対しリナンバリングをしてからＴＰＭＩを指示する。たとえば、１つのアップリンク参照信号リソースには４つのアップリンク参照信号ポートを含む。４つのアップリンク参照信号ポートのコードブックは、ＴＲＩ＝１、２、３、４の場合にそれぞれＴ１、Ｔ２、Ｔ３、Ｔ４個のコードワードを含む。ＴＲＩ＝ｍの場合、アップリンクプリコーディング行列は、ＴＲＩ＝ｍの場合に対応するすべてのコードワードのみに存在し、ＴＰＭＩの１つの符号化状態は、ＴＲＩ＝ｍの場合に対応する１つのコードワードに対応する。１つの方式として、ＴＰＭＩの符号化ビット数は、ＴＲＩによって決められ、たとえばｌｏｇ（Ｔｍ）個のビットでＴＰＭＩに対し符号化を行う。もう一つの方式として、ＴＰＭＩの符号化ビット数は、ありうる各ＴＲＩに対応する最多のコードワード数によって決められ、たとえばｍａｘ  ｌｏｇ（Ｔｍ）個のビットでＴＰＭＩに対し符号化を行う。符号化ビット数に対応する状態が、ＴＲＩ＝ｍに対応するコードワード数より多くなると、余分の状態は、保留となる状態である。
【０１９６】
選択可能に、ステップ５に対応し、基地局は、アップリンク参照信号ポート間のコヒーレント伝送情報に基づいて、プリコーディング行列の捜索範囲を特定する。ＴＰＭＩの符号化状態数は、ＴＲＩとアップリンク参照信号ポート間のコヒーレント伝送情報によって決められる。ＴＰＭＩの符号化状態数は、ＴＲＩに対応し、同時にアップリンク参照信号ポート間のコヒーレント伝送関係に対応するプリコーディング行列数である。１つの方式として、ＴＰＭＩの符号化ビット数は、ＴＲＩとアップリンク参照信号ポート間のコヒーレント伝送情報によって決められる。たとえば、ＴＲＩ＝ｍの場合、アップリンク参照信号ポート間のコヒーレント伝送関係に対応するプリコーディング行列数は、Ｓｍである。すると、Ｌｏｇ（Ｓｍ）個のビットでＴＰＭＩに対し符号化を行う。もう一つの方式として、ＴＰＭＩの符号化ビット数は、アップリンク参照信号ポート間のコヒーレント伝送情報の条件でのありうる各ＴＲＩに対応する最多のコードワード数によって決められる。たとえば、ｍａｘ  Ｌｏｇ（Ｓｍ）個のビットでＴＰＭＩに対し符号化を行う。符号化ビット数に対応する状態が、ＴＲＩ＝ｍに対応するコードワード数より多くなると、余分の状態は、保留となる状態である。
【０１９７】
ＴＲＩの単独符号化ビット数は、ＴＲＩのすべての取りうる値によって決められる。１つの方式として、ＴＲＩのすべての取りうる値は、アップリンク参照信号リソース構成のアップリンク参照信号ポート数によって決められる。たとえば、ＴＲＩのすべての取りうる値は、アップリンク参照信号リソースに含まれるアップリンク参照信号ポート数以下のすべての正整数である。１つの方式として、ＴＲＩのすべての取りうる値は、アップリンク参照信号リソース構成のアップリンク参照信号ポート数および端末でサポートされる最大伝送ストリーム数によって決められる。すなわち、ＴＲＩのすべての取りうる値は、アップリンク参照信号リソースに含まれるアップリンク参照信号ポート数および端末でサポートされる最大伝送ストリーム数の最小値以下のすべての正整数である。
【０１９８】
ＴＰＭＩおよびＴＲＩは、統合符号化で指示されることも可能である。
【０１９９】
ＴＰＭＩおよびＴＲＩの統合符号化の場合、有効符号化状態総数は、すべてのＴＲＩに対応するすべてのありうるプリコーディング行列の数の和である。符号化ビット数に対応する状態が、有効符号化状態数より多くなると、余分の状態は、保留となる状態である。ビット総数は、
【０２００】
選択可能に、ステップ５に対応し、基地局は、アップリンク参照信号ポート間のコヒーレント伝送情報に基づいて、プリコーディング行列の捜索範囲を特定する。ＴＰＭＩとＴＲＩの統合符号化の有効符号化状態数は、すべてのＴＲＩの取りうる値に対応し、アップリンク参照信号ポート間のコヒーレント伝送関係に対応するプリコーディング行列の和である。符号化ビット数に対応する状態が、有効符号化状態数より多くなると、余分の状態は、保留となる状態である。
【０２０１】
ＳＲＩとＴＰＭＩ、ＴＲＩは、統合符号化で指示されることも可能である。有効符号化状態総数は、すべてのアップリンク参照信号リソースに対応するすべてのＴＲＩに対応するすべてのありうるプリコーディング行列の数の和であり、または、有効符号化状態総数は、すべてのありうるアップリンク参照信号リソースの同時伝送の組み合わせからなるセットに対応するすべてのＴＲＩに対応するすべてのありうるプリコーディング行列の数の和である。符号化ビット数に対応する状態が、有効符号化状態数より多くなると、余分の状態は、保留となる状態である。
【０２０２】
選択可能に、基地局は、選択したアップリンク参照信号リソースに対し、それぞれＴＰＭＩおよびＴＲＩを指示する。
【０２０３】
選択可能に、基地局は、選択したアップリンク参照信号リソースに対し、ＴＰＭＩおよびＴＲＩを統合的に指示する。
【０２０４】
選択可能に、基地局は、アップリンク参照信号リソース群の指示を行う。当該指示は、単独符号化であってもよく、ほかの情報との統合符号化であってもよい。
【０２０５】
本ステップでのＴＰＭＩ、ＴＲＩおよびＳＲＩ、アップリンク参照信号リソース群の符号化方式は、基地局側と端末側で予め取り決められる必要がある。
【０２０６】
当該実施例において、上記ステップ６では、端末は、アップリンク伝送のＴＰＭＩおよびデータストリーム数を特定する。具体的に、端末は、基地局から送信されるＳＲＩ、または、ＴＰＭＩとＴＲＩ、または、ＴＰＭＩ、ＴＲＩおよびＳＲＩの指示情報を受信する。選択可能に、端末は、アップリンク参照信号リソース群指示情報を受信する。受信した上記情報に基づいて、端末は、アップリンク伝送のプリコーディング行列、伝送ストリーム数および用いられるアンテナ（アンテナ）を特定する。ここで、端末のアップリンク伝送用のアンテナは、ＳＲＩ指示送信用のアップリンク参照信号リソースに対応するアップリンク参照信号に用いられるアンテナに対応する。
【０２０７】
本開示の一部実施例において、図１に示す方法の第２実現プランとして、以下のステップを含む。
【０２０８】
ステップ３１において、端末のコヒーレント伝送力情報を基地局に送信する。端末のコヒーレント伝送力情報は、端末でサポートされるアンテナのコヒーレント伝送力である。前記アンテナは、物理アンテナ、送信チェーン、送受信ユニットＴＸＲＵまたはアップリンク参照信号ポートである。
【０２０９】
ステップ３２において、基地局から、端末のコヒーレント伝送力情報に基づいて特定されたアップリンク参照信号リソースの構成情報を受信する。
【０２１０】
端末のコヒーレント伝送力情報を基地局に送信する前に、
前記基地局から送信される前記アップリンク参照信号リソースに含まれるアップリンク参照信号ポート間のコヒーレント伝送関係情報を受信するステップ３３をさらに含む。
ここで、前記コヒーレント伝送関係情報は、各アップリンク参照信号リソースのアップリンク参照信号ポート間のコヒーレント伝送関係情報である。前記コヒーレント伝送関係情報は、前記アップリンク参照信号リソースの構成情報に含まれる。または、前記コヒーレント伝送関係情報は、単独に指示される情報である。前記コヒーレント伝送関係情報は、前記コヒーレント伝送力情報に基づいて特定される。
【０２１１】
ステップ３４において、端末は、基地局から、前記コヒーレント伝送関係および前記基地局によって受信されるアップリンク参照信号に基づいて特定されるアップリンク伝送指示情報に指示される内容を受信する。
【０２１２】
当該実施例において、前記コヒーレント伝送関係と端末のコヒーレント伝送力とのマッピング関係は、予め定義されている。
【０２１３】
具体的に、図３に示すように、以下のステップを含む。
【０２１４】
ステップ１において、ＵＥは、コヒーレント伝送力を報知する。
【０２１５】
ステップ２において、基地局は、端末のコヒーレント伝送力に基づいてアップリンク参照信号リソースの構成情報を特定し、前記構成情報を端末に送信する。
【０２１６】
ステップ３において、端末は、基地局から構成されるアップリンク参照信号リソースに基づいて、アップリンク参照信号を送信する。
【０２１７】
具体的に、端末は、基地局から送信されるアップリンク参照信号リソースの構成情報および予め定義されているＳＲＳアップリンク参照信号ポート間のコヒーレント伝送関係と端末から報知される能力との関係に基づいて、各アップリンク参照信号リソースの各アップリンク参照信号ポートに対応するアンテナを特定する。
【０２１８】
ステップ４において、基地局は、端末から送信されるアップリンク参照信号を受信し、ＴＰＭＩ、ＴＲＩおよびＭＣＳレベルを特定する。
【０２１９】
ステップ５において、基地局は、アップリンク伝送用のＳＲＩ、ＴＰＭＩ、ＴＲＩ指示を端末に送信する。
【０２２０】
ステップ６において、端末は、アップリンク伝送のＴＰＭＩおよびデータストリーム数を特定する。
【０２２１】
ここで、ステップ２では、基地局は、端末のコヒーレント伝送力に基づいてアップリンク参照信号リソースの構成情報を特定し、前記構成情報を端末に送信する場合、以下の数種類の方式を有する。
方式１：基地局から１つまたは複数のアップリンク参照信号リソースを構成し、各アップリンク参照信号リソースで一部またはすべてのアップリンク参照信号ポートは、コヒーレント伝送が可能である。
方式２：基地局から１つまたは複数のアップリンク参照信号リソースを構成し、各アップリンク参照信号リソースのアップリンク参照信号ポートは、コヒーレント伝送が可能であり、異なるアップリンク参照信号リソースの間では、コヒーレント伝送ができない。
方式３：基地局から複数のアップリンク参照信号リソースを構成し、各アップリンク参照信号リソースのアップリンク参照信号ポートは、コヒーレント伝送が可能であり、一部のアップリンク参照信号リソースの間でも、コヒーレント伝送ができる。
方式４：基地局から複数のアップリンク参照信号リソースを構成し、１つのアップリンク参照信号リソースの一部のアップリンク参照信号ポートは、もう１つのアップリンク参照信号リソースの一部のアップリンク参照信号ポートとはコヒーレント伝送ができる。
方式５：基地局から複数のアップリンク参照信号リソースを構成し、当該複数のアップリンク参照信号リソースがリソース群に分けられ、同一のリソース群のすべてのアップリンク参照信号リソースは、同じアップリンク参照信号ポート数を有し、同一のリソース群の任意の２つのアップリンク参照信号リソースは、同じアップリンク参照信号リソースのアップリンク参照信号ポート間のコヒーレント伝送関係を有する。選択可能に、同一のリソース群の任意の２つのアップリンク参照信号リソースは、同時にアップリンク参照信号の送信に用いられない。
方式６：基地局から複数のアップリンク参照信号リソースを構成し、当該複数のアップリンク参照信号リソースは、リソース群に分けられ、任意の２つのリソース群は、同じアップリンク参照信号リソース構成およびリソース群のアップリンク参照信号リソースのアップリンク参照信号ポート間のコヒーレント伝送関係を含む。選択可能に、２つのアップリンク参照信号リソース群は、同時にアップリンク参照信号の送信に用いられない。
【０２２２】
選択可能に、基地局から１つのアップリンク参照信号リソースのみを構成し、端末と基地局では、基地局から構成されるアップリンク参照信号リソースのアップリンク参照信号ポートのコヒーレント伝送関係が、端末から報知されるコヒーレント伝送力に対応することを初期設定とする。たとえば、端末から報知される第ＮＫ個のコヒーレント伝送アンテナ群にＭｋ個のアンテナが含まれると、基地局から構成されるアップリンク参照信号リソースの前からＭ１個のアップリンク参照信号ポートは、端末から報知される第１個のアンテナ群に対応し、…、基地局から構成されるアップリンク参照信号リソースの第
【数８】
2020536413.tif 000016
個〜第
【数９】
2020536413.tif 000017
個のアップリンク参照信号ポートは、端末から報知される第ｋ個のアンテナ群に対応し、このように類推する。この方式は、１つのアップリンク参照信号リソースがコヒーレント伝送が可能な複数のアンテナ群に対応するまで拡張可能である。たとえば基地局から２つのアップリンク参照信号リソースが構成され、１つめのアップリンク参照信号リソースは、端末から報知される前からＸ１個のコヒーレント伝送が可能なアンテナ群に対応し、２つめのアップリンク参照信号リソースは、端末から報知される第Ｘ１＋１〜Ｘ２個のコヒーレント伝送が可能なアンテナ群に対応する。端末は、基地局のアップリンク参照信号構成情報を受信すると、このような初期設定の方式によって、各アップリンク参照信号リソースを伝送するためのアンテナを特定する。
【０２２３】
上記方法は、基地局から複数のアップリンク参照信号リソースを構成するケースまで容易に拡張可能であり、たとえば以上紹介した方法４〜６に対応し、ここでは例示的な解釈を行うが、逐一に説明しない。たとえば、基地局から複数のアップリンク参照信号リソースを構成し、端末と基地局では、基地局から構成されるアップリンク参照信号リソースのアップリンク参照信号ポートのコヒーレント伝送関係が、端末から報知されるコヒーレント伝送力に対応することを初期設定とする。たとえば、端末から報知される第ＮＫ個のコヒーレント伝送アンテナ群にＭｋ個のアンテナが含まれると、基地局から構成される各アップリンク参照信号リソースの前からＭ１個のアップリンク参照信号ポートは、端末から報知される第１個のアンテナ群に対応し、…、基地局から構成される各アップリンク参照信号リソースの第
【数１０】
2020536413.tif 000018
個〜第
【数１１】
2020536413.tif 000019
個のアップリンク参照信号ポートは、端末から報知される第ｋ個のアンテナ群に対応し、このように類推する。端末は、基地局のアップリンク参照信号構成情報を受信すると、このような初期設定の方式によって、各アップリンク参照信号リソースを伝送するためのアンテナを特定する。
【０２２４】
選択可能に、基地局から送信されるアップリンク参照信号リソースの構成情報には、各アップリンク参照信号リソースに含まれるアップリンク参照信号ポート数情報が含まれると、端末は、各アップリンク参照信号リソースに含まれるアップリンク参照信号ポート数に基づいて、それに対応するアンテナｓを特定する。端末は、１つのアップリンク参照信号リソースに対応するアップリンク参照信号を伝送するためのアンテナｓの間ではコヒーレント伝送が可能であることを保証する必要がある。選択可能に、端末の当該３つのアップリンク参照信号ポート群を送信するためのアンテナは、異なるコヒーレント伝送アンテナ群にそれぞれ属すると限定する。
【０２２５】
選択可能に、同一のアップリンク参照信号リソースのアップリンク参照信号は、すべてコヒーレント伝送であると取り決める。
【０２２６】
選択可能に、同一のアップリンク参照信号リソースのアップリンク参照信号は、非コヒーレント伝送であると取り決める。
【０２２７】
選択可能に、異なるアップリンク参照信号リソースの間では非コヒーレント伝送であると取り決める。
【０２２８】
本開示の一部実施例において、図１に示す方法の第三の実現プランは、以下のステップを含む。
【０２２９】
ステップ４１において、基地局から端末に対し構成されて送信されるアップリンク参照信号リソースの構成情報を直接的に受信する。
【０２３０】
ステップ４２において、基地局から端末に対し構成するアップリンク参照信号リソースに含まれるアップリンク参照信号ポート間のコヒーレント伝送関係情報を基地局に送信する。前記コヒーレント伝送関係情報は、具体的に、コヒーレント伝送が可能な最大または最小のアップリンク参照信号ポート数情報を含む。前記コヒーレント伝送関係情報には、同一のアップリンク参照信号リソースのアップリンク参照信号の少なくとも一部のポートはコヒーレント伝送が可能である旨の情報、または、すべてのポートはコヒーレント伝送ができない旨の情報を含む。
【０２３１】
ステップ４３において、受信または特定したアップリンク参照信号リソースの構成情報によって指示されるアップリンク参照信号ポート間のコヒーレント伝送関係に基づいて、各アップリンク参照信号の伝送に用いられる送信アンテナを特定する。ここで、コヒーレント伝送が可能なアンテナで、コヒーレント伝送のアップリンク参照信号ポートに対応するアップリンク参照信号を送信する。
【０２３２】
ステップ４４において、端末は、基地局から、端末から送信されるアップリンク参照信号に基づいて送信される指示情報を受信する。前記指示情報は、アップリンク伝送のプリコーディング行列、伝送層数および選択されたアップリンク参照信号リソースを含む。具体的に、前記アップリンク伝送の指示情報は、ＳＲＩ、または、ＴＰＭＩとＴＲＩ、または、ＴＰＭＩ、ＴＲＩおよびＳＲＩの指示情報を含む。前記指示情報に基づいて、アップリンク伝送のプリコーディング行列、伝送ストリーム数および用いられるアンテナを特定する。
【０２３３】
具体的に、図４に示すように、当該方法は、以下のステップを含む。
【０２３４】
ステップ１において、基地局は、端末に対しアップリンク参照信号リソースを構成し、アップリンク参照信号リソースの構成情報を端末に送信する。
【０２３５】
ステップ２において、端末は、基地局から構成されるアップリンク参照信号リソースに基づいてアップリンク参照信号を送信する。
【０２３６】
選択可能に、端末は、アップリンク参照信号のアップリンク参照信号ポート間のコヒーレント伝送情報をさらに基地局に送信する。
【０２３７】
ステップ３において、基地局は、端末から送信されるアップリンク参照信号を受信し、アップリンク伝送のプリコーディング行列、伝送層数および選択されたアップリンク参照信号リソースを特定する。
【０２３８】
ステップ４において、基地局は、アップリンク伝送用のＳＲＩ、ＴＰＭＩ、ＴＲＩ指示を端末に送信する。
【０２３９】
ステップ５において、端末は、アップリンク伝送のＴＰＭＩおよびデータストリーム数を特定する。
【０２４０】
ここで、ステップ１では、基地局は、端末に対しアップリンク参照信号リソースを構成し、アップリンク参照信号リソースの構成情報を端末に送信する。以下の数種類の方式を有する。
【０２４１】
方式１：基地局から端末に対し１つのアップリンク参照信号リソースを構成し、アップリンク参照信号リソースの構成情報には、アップリンク参照信号リソースに含まれるアップリンク参照信号ポート数が含まれる。選択可能に、前記アップリンク参照信号ポート数は、端末でサポートされる最大アップリンク参照信号ポート数、またはアンテナ数、または端末に含まれる送信アンテナ数以下である。
【０２４２】
方式２：基地局から複数のアップリンク参照信号リソースを構成し、アップリンク参照信号リソースの構成情報には、アップリンク参照信号リソース数および各アップリンク参照信号リソースに含まれるアップリンク参照信号ポート数が含まれる。選択可能に、アップリンク参照信号リソースの構成情報には、１つのアップリンク参照信号ポート数しか含まない。当該アップリンク参照信号ポート数は、すべてのアップリンク参照信号リソースに適用する（この方式はビーム管理に使用可能である）。選択可能に、各アップリンク参照信号リソースに含まれるアップリンク参照信号ポート数は、端末でサポートされる１つのｐａｎｅｌに含まれるアンテナ数に等しい（この方式は、マルチｐａｎｅｌ伝送に使用可能である。もちろん、アップリンク参照信号ポート数は、必ずしもｐａｎｅｌのアンテナ数に等しいと限定しなくてもよく、ｐａｎｅｌのアンテナ数より小さくてもよい。）。
【０２４３】
方式３：基地局から複数のアップリンク参照信号リソースを構成し、各アップリンク参照信号リソースに１つのアップリンク参照信号ポートが含まれ、アップリンク参照信号リソースの構成情報には、アップリンク参照信号リソース数が含まれる。選択可能に、端末ではアンテナ間のコヒーレント伝送がサポートされない場合、基地局は、当該構成しか採用できない。
【０２４４】
方式４：基地局から複数のアップリンク参照信号リソース群を構成し、アップリンク参照信号リソースの構成情報には、アップリンク参照信号リソース群数、各アップリンク参照信号リソース群のアップリンク参照信号リソース数および各アップリンク参照信号リソースに含まれるアップリンク参照信号ポート数が含まれる。選択可能に、アップリンク参照信号リソースの構成情報には、アップリンク参照信号リソース群数および１つのアップリンク参照信号リソース群に対応するアップリンク参照信号リソースの構成情報のみを含む。当該アップリンク参照信号リソース群のアップリンク参照信号リソース構成情報は、すべてのアップリンク参照信号リソース群に適用する。
【０２４５】
本ステップにおいて、選択可能に、端末は、伝送力情報またはアンテナ構造情報を報知する。具体的に、少なくとも以下の情報のうちの１つまたは複数を含む。
ＵＥでサポートされる最大アンテナ数またはアンテナ数
端末ではアンテナ間のコヒーレント伝送がサポートされるか
端末でサポートされるコヒーレント伝送が可能な最大アンテナ数
端末でサポートされるアンテナパネル（ｐａｎｅｌ）数
端末でサポートされる各アンテナｐａｎｅｌ内のアンテナ数。
【０２４６】
ここで、端末でサポートされるコヒーレント伝送が可能な最大アンテナ数が１であれば、端末はアンテナ間のコヒーレント伝送をサポートしないことを意味する。
【０２４７】
選択可能に、基地局は、端末の上記報知情報に基づいて、アップリンク参照信号リソースに含まれるアップリンク参照信号ポート数を特定する。
【０２４８】
ステップ２において、端末は、基地局から構成されるアップリンク参照信号リソースに基づいてアップリンク参照信号を送信する。選択可能に、端末は、アップリンク参照信号ポート間のコヒーレント伝送情報をさらに基地局に送信する。
【０２４９】
端末は、基地局から送信されるアップリンク参照信号リソースの構成情報の受信し、各アップリンク参照信号ポートに対応するアンテナを選択し、これらのアンテナからアップリンク参照信号を送信する。
【０２５０】
異なる端末には異なるコヒーレント伝送力を有するため、端末は、すべてのアップリンク参照信号ポートでコヒーレント伝送を行うとは限らない。よって、選択可能に、端末は、アップリンク参照信号ポート間のコヒーレント伝送情報をさらに基地局に送信する。前記端末から基地局に送信されるアップリンク参照信号ポートのコヒーレント伝送情報は、どのアップリンク参照信号ポートはコヒーレント伝送が可能であるか、どのアップリンク参照信号ポートの間ではコヒーレント伝送ができないかを指示することに用いられる。
【０２５１】
方法１：２以上のコヒーレント伝送が可能なアップリンク参照信号ポートを含むアップリンク参照信号ポート群のコヒーレント伝送情報のみを指示し、アップリンク参照信号ポート群ではコヒーレント伝送が行われないことを初期設定とする。１つのアップリンク参照信号リソースを例とし、仮に基地局から構成されるアップリンク参照信号リソースに４つのアップリンク参照信号ポートが含まれると、端末は、コヒーレント伝送が可能な２つのアンテナで１つめと２つのアップリンク参照信号ポートを送信し、ほかのアップリンク参照信号ポートに用いられるアンテナの間および１つめと２つのアップリンク参照信号ポートに対応するアンテナｓの間は、コヒーレント伝送ができない。端末は、１つめのアップリンク参照信号ポートと２つのアップリンク参照信号ポートはコヒーレント伝送が可能であることを基地局に指示する。基地局は、指示情報を受信すると、１つめと２つめのアップリンク参照信号ポートはコヒーレント伝送が可能なアップリンク参照信号ポート群であり、３つめのアップリンク参照信号ポートは１つのアップリンク参照信号ポート群であり、４つめのアップリンク参照信号ポートは１つのアップリンク参照信号ポート群であり、これらのアップリンク参照信号ポート群の間ではコヒーレント伝送ができないと見なす。すると、基地局は、アップリンク参照信号リソースを受信してＴＰＭＩとＴＲＩを特定する際に、当該アップリンク参照信号ポート間のコヒーレント伝送関係に対応するコードワードのみからアップリンクプリコーディング行列を選択する。
【０２５２】
方法２：すべてのアップリンク参照信号ポート間のコヒーレント伝送関係を指示する。たとえば、含まれるアップリンク参照信号ポート群数、各アップリンク参照信号ポート群に含まれるアップリンク参照信号ポート数を指示する。基地局と端末では、同一のアップリンク参照信号ポート群内のアップリンク参照信号ポートはコヒーレント伝送が可能であり、異なるアップリンク参照信号ポート群内のアップリンク参照信号ポートはコヒーレント伝送が行われないことを初期設定とする。基地局は、端末から指示されるアップリンク参照信号ポート間のコヒーレント伝送関係に基づいて、アップリンク参照信号ポート間のコヒーレント伝送関係を特定し、コードブックにおけるプリコーディングサブセットに対する制限を特定する（すなわちコードブックのうち、当該アップリンク参照信号ポート間のコヒーレント伝送関係に対応するコードワードからしかプリコーディング行列を選択できない）。
【０２５３】
方法３：コヒーレント伝送が可能なアップリンク参照信号ポートから１つのアップリンク参照信号ポート群を構成するとする。基地局と端末では、端末から、多めのコヒーレント伝送が可能なアップリンク参照信号ポートを含むアップリンク参照信号ポート群を、小さめのアップリンク参照信号ポート番号にマッピングし、少なめのアップリンク参照信号ポートを含むアップリンク参照信号ポート群を、大きめのアップリンク参照信号ポート番号にマッピングすると取り決める。このように、基地局から１つのアップリンク参照信号リソースが構成される場合、少なめのビットでアップリンク参照信号ポートのコヒーレント伝送情報をマッピングすることができる。たとえば、基地局から１つのアップリンク参照信号リソースが構成され、４つのアップリンク参照信号ポートが含まれると、アップリンク参照信号ポート間のコヒーレント伝送関係は、（１，１，１，１）、（２，１，１）、（２，２）、（３，１）、（４）のみを含み、３ビットで十分である。ここで、（Ｘ１，Ｘ２，Ｘ３，Ｘ４）は、４つのアップリンク参照信号ポート群が存在することを示し、１つめの群にＸ１個のアップリンク参照信号ポートが含まれ、２つめの群にＸ２個のアップリンク参照信号ポートが含まれ、このように類推するが、群内のアップリンク参照信号ポート間ではコヒーレント伝送が可能であり、群の間ではコヒーレント伝送が行われない。端末の伝送力に基づいて限定するのであれば、必要とするビット数は、もっと少ない。たとえば、端末では最多で２つのアップリンク参照信号ポートのコヒーレント伝送をサポートすると、（１，１，１，１）、（２，１，１）、（２，２）との３つのケースのみを含み、指示を行うには２ビットで十分である。
【０２５４】
方法４：基地局から複数のアップリンク参照信号リソースが構成され、端末は、１つのアップリンク参照信号リソースのアップリンク参照信号ポート間のコヒーレント伝送関係を指示し、当該関係がすべてのアップリンク参照信号リソースに応用される。このアップリンク参照信号リソースのアップリンク参照信号ポート間のコヒーレント伝送関係の具体的な指示方法は、方法１〜３である。
【０２５５】
方法５：基地局から複数のアップリンク参照信号リソース群が構成され、各アップリンク参照信号リソース群に１つまたは複数のアップリンク参照信号リソースが含まれ、１つのアップリンク参照信号リソースのアップリンク参照信号ポート間のコヒーレント伝送関係を指示し、当該関係が当該アップリンク参照信号リソースの位置するアップリンク参照信号リソース群のすべてのアップリンク参照信号リソースに応用される。このアップリンク参照信号リソースのアップリンク参照信号ポート間のコヒーレント伝送関係の具体的な指示方法は、方法１または２または３である。
【０２５６】
方法６：基地局から複数のアップリンク参照信号リソース群が構成され、端末から１つのアップリンク参照信号リソース群のアップリンク参照信号ポート間のコヒーレント伝送関係を指示し、当該関係がすべてのアップリンク参照信号リソース群に応用される。このアップリンク参照信号リソース群のアップリンク参照信号ポート間のコヒーレント伝送関係の具体的な指示方法は、方法１または２または３である。
【０２５７】
方法７：少なくとも以下の情報のうちの１つまたは複数を含む。
１つのアップリンク参照信号リソースのすべてのアップリンク参照信号ポートは、コヒーレント伝送が可能である。
１つのアップリンク参照信号リソースのアップリンク参照信号ポートの間は、コヒーレント伝送ができない。
複数のアップリンク参照信号リソースの間ではコヒーレント伝送が可能であるか。
【０２５８】
選択可能に、端末から基地局にアップリンク参照信号ポート間のコヒーレント伝送関係を一切送信しなければ、基地局は、１つのアップリンク参照信号リソースのすべてのアップリンク参照信号ポートの間はコヒーレント伝送が可能であると見なす。
【０２５９】
選択可能に、端末から基地局にアップリンク参照信号ポート間のコヒーレント伝送関係を一切送信しなければ、基地局は、すべてのアップリンク参照信号ポートの間はコヒーレント伝送ができないと見なす。
【０２６０】
選択可能に、端末から基地局にアップリンク参照信号ポート間のコヒーレント伝送関係を一切送信しなければ、基地局は、異なるアップリンク参照信号リソースの間はコヒーレント伝送ができないと見なす。
【０２６１】
ステップ３において、基地局は、端末から送信されるアップリンク参照信号を受信し、アップリンク伝送のプリコーディング行列、伝送層数および選択されるアップリンク参照信号リソースを特定する。
【０２６２】
基地局は、端末から送信されるアップリンク参照信号を受信し、一定のルールに準じてアップリンク伝送の層数、プリコーディング行列およびアップリンク参照信号リソースを特定する。当該ルールは、ＲＳＲＰ最大ルール、スループット最大ルール、ユーザ間干渉を考慮したルールなどである。
【０２６３】
基地局は、端末に対し１つのアップリンク参照信号リソースしか構成しない場合、アップリンク参照信号リソースの選択を行う必要がない。
【０２６４】
基地局は、端末に対し構成した各アップリンク参照信号リソースに１つのアップリンク参照信号ポートしか含まれない場合、ＳＲＩの選択のみをすればよく、プリコーディング行列の選択を行う必要がない。伝送層数は、選択したアップリンク参照信号リソース数に等しい。
【０２６５】
選択可能に、基地局は、端末から送信されるアップリンク参照信号ポート間のコヒーレント伝送情報を受信する。当該コヒーレント伝送情報に基づいて、アップリンク伝送の層数、プリコーディング行列およびアップリンク参照信号リソースを特定する。具体的に、基地局は、プリコーディング行列を選択する場合、端末から送信されるアップリンク参照信号ポート間のコヒーレント伝送情報に基づいてプリコーディング行列を選択するしかできず、端末から送信されるアップリンク参照信号ポート間のコヒーレント伝送範囲を超えたプリコーディング行列を選択することができない。たとえば、基地局から構成されるアップリンク参照信号リソースに４つのアップリンク参照信号ポートが含まれ、端末から、１つめと２つめのアップリンク参照信号ポートのみはコヒーレント伝送が可能であると指示する。すると、基地局は、プリコーディング行列を選択する場合、アップリンク参照信号ポート総数４に対応し、１つめと２つめのアップリンク参照信号ポートのみはコヒーレント伝送が可能であるプリコーディング行列からプリコーディング行列を選択するしかできない。プリコーディング行列候補には、１つめのアップリンク参照信号ポートと２つめのアップリンク参照信号ポートはコヒーレント伝送が行われないプリコーディング行列を含む。ここで、２つのアップリンク参照信号ポートのコヒーレント伝送に対応するプリコーディング行列とは、当該プリコーディング行列では、少なくとも１つの層に対応し、当該２つのアップリンク参照信号ポートにはゼロではない値が存在する。すなわち、当該２つのアップリンク参照信号ポートは、同一層に属するデータを同時に伝送することができる。
【０２６６】
選択可能に、基地局は、各アップリンク参照信号リソースに対し、それぞれプリコーディング行列を選択する。
【０２６７】
選択可能に、基地局は、すべてのありうるアップリンク参照信号リソースの同時伝送の組み合わせからなるセットをトラバーサルして最適なプリコーディング行列を選択する。ここで１つのアップリンク参照信号リソースの同時伝送の組み合わせとは、１つまたは複数のアップリンク参照信号リソースの同時伝送を指す。たとえば、基地局から３つのアップリンク参照信号リソースが構成される場合、すべてのありうるアップリンク参照信号リソースの同時伝送の組み合わせからなるセットは、｛１つめのアップリンク参照信号リソースのみでのアップリンク参照信号送信，２つめのアップリンク参照信号リソースのみでのアップリンク参照信号送信，３つめのアップリンク参照信号リソースのみでのアップリンク参照信号送信，１つめと２つめのアップリンク参照信号リソースでのアップリンク参照信号送信，１つめと３つめのアップリンク参照信号リソースでのアップリンク参照信号送信，２つめと３つめのアップリンク参照信号リソースでのアップリンク参照信号送信，１つめ、２つめ、３つめのアップリンク参照信号リソースでのアップリンク参照信号送信｝である。具体的に、基地局は、同時伝送のすべてのアップリンク参照信号リソースに含まれるアップリンク参照信号ポート総数に対応するコードブックからプリコーディング行列を選択し、または、同時伝送の各アップリンク参照信号リソースに対応するコードブックからプリコーディング行列を選択し、各アップリンク参照信号リソースのプリコーディング行列がウェイト値変換を経て全体的なプリコーディング行列を構成する。
【０２６８】
選択可能に、基地局は、すべてのアップリンク参照信号リソース群の各アップリンク参照信号リソース群内のすべてのありうるアップリンク参照信号リソースの同時伝送の組み合わせからなるセットをトラバーサルして、１つのアップリンク参照信号リソース群およびそれに対応するアップリンク参照信号リソースおよびプリコーディング行列、伝送層数を選択する。
【０２６９】
選択可能に、基地局は、各アップリンク参照信号リソース群で最多で１つのアップリンク参照信号リソースを選択することに対応するアップリンク参照信号リソースの同時伝送の組み合わせからなるセットをトラバーサルして、最適なプリコーディング行列を選択する。
【０２７０】
ステップ４では、基地局は、アップリンク伝送用のＳＲＩ、ＴＰＭＩ、ＴＲＩ指示を端末に送信する。
【０２７１】
基地局から端末に対し１つのアップリンク参照信号リソースしか構成しない場合、指示情報には、ＳＲＩ指示情報を含む必要がない。
【０２７２】
基地局から端末に対し複数のアップリンク参照信号リソースを構成する場合、指示情報には、ＳＲＩ指示情報を含む必要がある。ＳＲＩ指示情報は、１つのアップリンク参照信号リソースのみを指示してもよく、複数のアップリンク参照信号リソースを指示してもよい。
【０２７３】
基地局から端末に対し複数のアップリンク参照信号リソースを構成し、かつ各アップリンク参照信号リソースに１つのアップリンク参照信号ポートしか含まれない場合、ＳＲＩの指示のみをすればよく、プリコーディング行列およびＴＲＩの指示を行う必要がない。ＳＲＩに対応するアップリンク参照信号リソース数は、データ層数に等しい。
【０２７４】
ＳＲＩは、単独符号化の方式が用いられる。単独符号化の方式が用いられると、ｂｉｔｍａｐ方式の使用が可能である。すなわち、１つのビットは、１つのアップリンク参照信号リソースに対応し、各ビットの１つの状態は、当該アップリンク参照信号リソースを選択することを示し、別の状態は、当該アップリンク参照信号リソースを選択しないことを示す。たとえば、基地局から４つのアップリンク参照信号リソースが構成されると、４ビットでアップリンク参照信号リソースの指示を行い、各ビットの状態１は、当該リソースを選択することを示し、状態０は、当該リソースを選択しないことを示す。すると、１１０１は、第１、２、４個のリソースを選択することを示す。ＳＲＩは、統合符号化の方式も用いられる。すなわち、すべてのアップリンク参照信号リソースをトラバーサルして組み合わせを選択し、統合符号化を行う。また基地局から４つのアップリンク参照信号リソースが構成されることを例とし、ｋ個のアップリンク参照信号リソースを選択するには
【数１２】
2020536413.tif 000020
種類の可能性があり、アップリンク参照信号リソースの選択可能総数が
【数１３】
2020536413.tif 000021
であるため、
【数１４】
2020536413.tif 000022
ビットで符号化を行う。基地局から複数のアップリンク参照信号リソース群が構成されると、端末は、最多で１つのアップリンク参照信号リソース群の１つのアップリンク参照信号リソースと、ほかのアップリンク参照信号リソース群のアップリンク参照信号リソースのみからアップリンク参照信号を送信する場合、アップリンク参照信号リソース選択の組み合わせ数は、すべてのアップリンク参照信号リソースをトラバーサルする組み合わせの組み合わせ数より小さい。
【０２７５】
簡単化のために、以下ＳＲＩによって１つのリソースを指示することを例として記載するが、複数のアップリンク参照信号リソースの各アップリンク参照信号リソース、または、複数のアップリンク参照信号リソースの統合指示の方式まで拡張可能である。
【０２７６】
ＴＰＭＩおよびＴＲＩは、単独符号化で指示されてもよく、統合符号化で指示されてもよい。単独符号化の場合、ＤＣＩには、ＴＲＩを指示するための専用領域およびＴＰＭＩを指示するための専用領域を含む。
【０２７７】
選択可能に、ＴＰＭＩの符号化状態数は、ＴＲＩによって決められる。すなわちＴＲＩに対応するすべてのコードワードのみに対しリナンバリングをしてからＴＰＭＩを指示する。たとえば、１つのアップリンク参照信号リソースには４つのアップリンク参照信号ポートを含む。４つのアップリンク参照信号ポートのコードブックは、ＴＲＩ＝１、２、３、４の場合にそれぞれＴ１、Ｔ２、Ｔ３、Ｔ４個のコードワードを含む。ＴＲＩ＝ｍの場合、アップリンクプリコーディング行列は、ＴＲＩ＝ｍの場合に対応するすべてのコードワードのみに存在し、ＴＰＭＩの１つの符号化状態は、ＴＲＩ＝ｍの場合に対応する１つのコードワードに対応する。１つの方式として、ＴＰＭＩの符号化ビット数は、ＴＲＩによって決められ、たとえばｌｏｇ（Ｔｍ）個のビットでＴＰＭＩに対し符号化を行う。もう一つの方式として、ＴＰＭＩの符号化ビット数は、ありうる各ＴＲＩに対応する最多のコードワード数によって決められ、たとえばｍａｘ  ｌｏｇ（Ｔｍ）個のビットでＴＰＭＩに対し符号化を行う。符号化ビット数に対応する状態が、ＴＲＩ＝ｍに対応するコードワード数より多くなると、余分の状態は、保留となる状態である。
【０２７８】
選択可能に、ステップ５に対応し、基地局は、端末から送信されるアップリンク参照信号ポート間のコヒーレント伝送情報に基づいて、プリコーディング行列の捜索範囲を特定する。ＴＰＭＩの符号化状態数は、ＴＲＩと端末から送信されるアップリンク参照信号ポート間のコヒーレント伝送情報によって決められる。ＴＰＭＩの符号化状態数は、ＴＲＩに対応し、同時に端末から送信されるアップリンク参照信号ポート間のコヒーレント伝送関係に対応するプリコーディング行列数である。１つの方式として、ＴＰＭＩの符号化ビット数は、ＴＲＩと端末から送信されるアップリンク参照信号ポート間のコヒーレント伝送情報によって決められる。たとえば、ＴＲＩ＝ｍの場合、端末から送信されるアップリンク参照信号ポート間のコヒーレント伝送関係に対応するプリコーディング行列数は、Ｓｍである。すると、Ｌｏｇ（Ｓｍ）個のビットでＴＰＭＩに対し符号化を行う。もう一つの方式として、ＴＰＭＩの符号化ビット数は、端末から送信されるアップリンク参照信号ポート間のコヒーレント伝送情報の条件でのありうる各ＴＲＩに対応する最多のコードワード数によって決められる。たとえば、ｍａｘ  Ｌｏｇ（Ｓｍ）個のビットでＴＰＭＩに対し符号化を行う。符号化ビット数に対応する状態が、ＴＲＩ＝ｍに対応するコードワード数より多くなると、余分の状態は、保留となる状態である。
【０２７９】
ＴＲＩの単独符号化ビット数は、ＴＲＩのすべての取りうる値によって決められる。１つの方式として、ＴＲＩのすべての取りうる値は、アップリンク参照信号リソース構成のアップリンク参照信号ポート数によって決められる。たとえば、ＴＲＩのすべての取りうる値は、アップリンク参照信号リソースに含まれるアップリンク参照信号ポート数以下のすべての正整数である。１つの方式として、ＴＲＩのすべての取りうる値は、アップリンク参照信号リソース構成のアップリンク参照信号ポート数および端末でサポートされる最大伝送ストリーム数によって決められる。すなわち、ＴＲＩのすべての取りうる値は、アップリンク参照信号リソースに含まれるアップリンク参照信号ポート数および端末でサポートされる最大伝送ストリーム数の最小値以下のすべての正整数である。
【０２８０】
ＴＰＭＩおよびＴＲＩは、統合符号化で指示されることも可能である。
【０２８１】
ＴＰＭＩおよびＴＲＩの統合符号化の場合、有効符号化状態総数は、すべてのＴＲＩに対応するすべてのありうるプリコーディング行列の数の和である。符号化ビット数に対応する状態が、有効符号化状態数より多くなると、余分の状態は、保留となる状態である。ビット総数は、
【０２８２】
選択可能に、ステップ５に対応し、基地局は、端末から送信されるアップリンク参照信号ポート間のコヒーレント伝送情報に基づいて、プリコーディング行列の捜索範囲を特定する。ＴＰＭＩとＴＲＩの統合符号化の有効符号化状態数は、すべてのＴＲＩの取りうる値に対応し、端末から送信されるアップリンク参照信号ポート間のコヒーレント伝送関係に対応するプリコーディング行列の和である。符号化ビット数に対応する状態が、有効符号化状態数より多くなると、余分の状態は、保留となる状態である。
【０２８３】
ＳＲＩとＴＰＭＩ、ＴＲＩは、統合符号化で指示されることも可能である。有効符号化状態総数は、すべてのアップリンク参照信号リソースに対応するすべてのＴＲＩに対応するすべてのありうるプリコーディング行列の数の和である。または、有効符号化状態総数は、すべてのアップリンク参照信号リソースの同時伝送の組み合わせからなるセットに対応するすべてのＴＲＩに対応するすべてのありうるプリコーディング行列の数の和である。符号化ビット数に対応する状態が、有効符号化状態数より多くなると、余分の状態は、保留となる状態である。
【０２８４】
選択可能に、基地局は、選択したアップリンク参照信号リソースに対し、それぞれＴＰＭＩおよびＴＲＩを指示する。
【０２８５】
選択可能に、基地局は、選択したアップリンク参照信号リソースに対し、ＴＰＭＩおよびＴＲＩを統合的に指示する。
【０２８６】
選択可能に、基地局は、アップリンク参照信号リソース群の指示を行う。当該指示は、単独符号化であってもよく、ほかの情報との統合符号化であってもよい。
【０２８７】
本ステップでのＴＰＭＩ、ＴＲＩおよびＳＲＩ、アップリンク参照信号リソース群の符号化方式は、基地局側と端末側で予め取り決められる必要がある。
【０２８８】
ステップ５では、端末は、アップリンク伝送のＴＰＭＩおよびデータストリーム数を特定する。
【０２８９】
端末は、基地局から送信されるＳＲＩ、または、ＴＰＭＩとＴＲＩ、または、ＴＰＭＩ、ＴＲＩおよびＳＲＩの指示情報を受信する。選択可能に、さらに、アップリンク参照信号リソース群指示情報を含む。アップリンク伝送のプリコーディング行列、伝送ストリーム数および用いられるアンテナ（アンテナ）を特定する。
【０２９０】
ここで、アップリンク伝送用のアンテナは、基地局から指示されるアップリンク参照信号リソースに対応するアップリンク参照信号ポートを使用し、各アップリンク参照信号ポートのプリコーディング行列は、ＴＰＭＩによって決められる。
【０２９１】
本開示の上記実施例において、端末と基地局との間で送信チェーンのコヒーレント伝送力に関するやり取り情報の送受信プラン、および、当該やり取りプランに基づくリソース構成、アップリンクアクセス許可などのシグナリングのやり取りプランを提案することによって、基地局と端末では同じアップリンク参照信号リソースのアップリンク参照信号ポートのコヒーレント伝送関係の仮定を有し、アップリンク伝送の性能を保証する。
【０２９２】
図５に示すように、本開示の一部実施例は、アップリンク伝送の構成方法をさらに提供する。当該方法において、
アップリンク参照信号リソースの構成情報を端末に対し構成するステップ５１と、
端末から、基地局によって構成される構成情報に基づいて送信されるアップリンク参照信号を受信するステップ５２と、
基地局によって特定されるアップリンク伝送用の指示情報を端末に送信するステップ５３と、を含む。
【０２９３】
ここで、ステップ５２の前に、端末から送信される端末のコヒーレント伝送力情報を受信することを含む。
【０２９４】
ここで、ステップ５１は、端末から報知されるコヒーレント伝送力情報に基づいて、アップリンク参照信号リソースの構成情報を特定することを含む。
【０２９５】
ここで、ステップ５２の前に、前記アップリンク参照信号リソースに含まれるアップリンク参照信号ポート間のコヒーレント伝送関係情報を端末に送信することをさらに含む。
【０２９６】
ここで、前記コヒーレント伝送関係情報は、各アップリンク参照信号リソースのアップリンク参照信号ポート間のコヒーレント伝送関係情報である。
【０２９７】
ここで、前記コヒーレント伝送関係情報は、前記アップリンク参照信号リソースの構成情報に含まれる。または、前記コヒーレント伝送関係情報は、単独に指示される情報である。
【０２９８】
ここで、前記コヒーレント伝送関係情報は、前記コヒーレント伝送力情報に基づいて特定される。
【０２９９】
ここで、前記アップリンク伝送の指示情報およびそれによって指示される内容は、前記コヒーレント伝送関係、および、前記基地局によって受信されるアップリンク参照信号に基づいて特定される。
【０３００】
ここで、端末のコヒーレント伝送力情報は、端末でサポートされるアンテナのコヒーレント伝送力である。
【０３０１】
ここで、前記アンテナは、物理アンテナ、送信チェーン、送受信ユニットＴＸＲＵまたはアップリンク参照信号ポートである。
【０３０２】
ここで、端末のコヒーレント伝送力情報は、アンテナグルーピング情報を含み、ここで、各アンテナ群内のアンテナは、コヒーレント伝送が可能であり、異なるアンテナ群内のアンテナは、コヒーレント伝送ができない。
【０３０３】
ここで、端末のコヒーレント伝送力情報は、アンテナ総数情報をさらに含む。
【０３０４】
ここで、前記コヒーレント伝送関係情報は、具体的に、アップリンク参照信号ポートのグルーピング情報を含み、
ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われない。
【０３０５】
ここで、前記コヒーレント伝送関係情報は、具体的に、コヒーレント伝送が可能な最大または最小のアップリンク参照信号ポート数情報を含む。
【０３０６】
ここで、前記コヒーレント伝送関係情報には、同一のアップリンク参照信号リソースのアップリンク参照信号の少なくとも一部のポートはコヒーレント伝送が可能である旨の情報、または、すべてのポートはコヒーレント伝送ができない旨の情報を含む。
【０３０７】
ここで、前記コヒーレント伝送関係情報のうち、アップリンク参照信号ポートのグルーピング情報には、具体的に、以下を含む。
１）前記アップリンク参照信号リソースの構成情報に１つのアップリンク参照信号リソースまたは複数のアップリンク参照信号リソースが含まれる場合、少なくとも１つのアップリンク参照信号リソースは、一部のアップリンク参照信号ポートのみのコヒーレント伝送が可能である。または、
２）前記アップリンク参照信号リソースの構成情報に複数のアップリンク参照信号リソースが含まれる場合、各アップリンク参照信号リソースのすべてのアップリンク参照信号ポートはコヒーレント伝送ができ、異なるアップリンク参照信号リソース間ではコヒーレント伝送ができない。または、
３）前記アップリンク参照信号リソースの構成情報に複数のアップリンク参照信号リソースが含まれる場合、各アップリンク参照信号リソースのアップリンク参照信号ポートはコヒーレント伝送ができ、一部のアップリンク参照信号リソース間ではコヒーレント伝送ができる。または、
４）前記アップリンク参照信号リソースの構成情報に複数のアップリンク参照信号リソースが含まれる場合、１つのアップリンク参照信号リソースの一部のアップリンク参照信号ポートは、もう１つのアップリンク参照信号リソースの一部のアップリンク参照信号ポートとはコヒーレント伝送ができる。または、
５）前記アップリンク参照信号リソースの構成情報に複数のアップリンク参照信号リソースが含まれる場合、前記複数のアップリンク参照信号リソースがリソース群に分けられ、同一のリソース群のすべてのアップリンク参照信号リソースは、同じアップリンク参照信号ポート数を有し、同一のリソース群の任意の２つのアップリンク参照信号リソースは、同時にアップリンク参照信号の送信に用いられず、かつ同一のリソース群の任意の２つのアップリンク参照信号リソースは、同じアップリンク参照信号リソースのアップリンク参照信号ポート間のコヒーレント伝送関係を有する。または、
６）前記アップリンク参照信号リソースの構成情報に複数のアップリンク参照信号リソースが含まれる場合、当該複数のアップリンク参照信号リソースは、リソース群に分けられ、任意の２つのリソース群は、同じアップリンク参照信号数およびリソース群のアップリンク参照信号ポート間のコヒーレント伝送関係を含み、かつ同時にアップリンク参照信号の送信に用いられない。
【０３０８】
ここで、前記構成情報は、アップリンク参照信号リソース数、および、各アップリンク参照信号リソースに含まれるアップリンク参照信号ポート数を含む。
【０３０９】
ここで、前記コヒーレント伝送関係情報は、以下を含む。
１１）前記アップリンク参照信号リソースの構成情報に複数のアップリンク参照信号リソースが含まれる場合、前記コヒーレント伝送関係情報は、そのうちの１つのアップリンク参照信号リソースのアップリンク参照信号ポート間のコヒーレント伝送関係であり、当該関係がすべてのアップリンク参照信号リソースに応用される。または、
１５）前記アップリンク参照信号リソースの構成情報に複数のアップリンク参照信号リソース群が含まれる場合、各アップリンク参照信号リソース群には１つまたは複数のアップリンク参照信号リソースを含み、前記コヒーレント伝送関係情報は、１つのアップリンク参照信号リソースのアップリンク参照信号ポート間のコヒーレント伝送関係を指示し、当該関係が当該アップリンク参照信号リソースの位置するアップリンク参照信号リソース群のすべてのアップリンク参照信号リソースに応用される。または、
１６）前記アップリンク参照信号リソースの構成情報に複数のアップリンク参照信号リソース群が含まれる場合、前記コヒーレント伝送関係情報は、１つのアップリンク参照信号リソース群のアップリンク参照信号ポート間のコヒーレント伝送関係を指示し、当該関係がすべてのアップリンク参照信号リソース群に応用される。
【０３１０】
ここで、前記コヒーレント伝送関係情報は、前記アップリンク参照信号ポートと前記アンテナ群とのマッピング関係であり、または、
前記コヒーレント伝送関係情報は、前記アップリンク参照信号リソースと前記アンテナ群とのマッピング関係である。
【０３１１】
ここで、端末から、基地局によって構成される構成情報に基づいて送信されるアップリンク参照信号を受信する前に、
端末のコヒーレント伝送力およびアップリンク参照信号リソースの構成情報に基づいて、基地局から端末に対し構成するアップリンク参照信号リソースに含まれるアップリンク参照信号ポート間のコヒーレント伝送関係を特定することをさらに含む。
前記コヒーレント伝送関係と端末のコヒーレント伝送力とのマッピング関係は、予め定義されている。
前記アップリンク参照信号リソースの構成情報に基づいてアップリンク参照信号を送信することは、コヒーレント伝送関係に基づいて、アップリンク参照信号の送信に用いられるアンテナを特定することを含む。ここで、コヒーレント伝送が可能なアンテナを使用し、コヒーレント伝送が可能なアップリンク参照信号ポートでアップリンク参照信号を送信する。
【０３１２】
ここで、ステップ５１は、具体的に、端末に対し構成するアップリンク参照信号リソースの構成情報を直接的に端末に送信することをさらに含む。
【０３１３】
ここで、ステップ５２の前に、端末から送信されるアップリンク参照信号間のコヒーレント伝送情報を受信することをさらに含む。
【０３１４】
ここで、前記コヒーレント伝送関係情報は、具体的に、アップリンク参照信号ポートのグルーピング情報を含み、
ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われない。
【０３１５】
ここで、ステップ５３において、前記アップリンク伝送の指示情報は、ＳＲＩ、または、ＴＰＭＩおよびＴＲＩ、または、ＴＰＭＩ、ＴＲＩおよびＳＲＩの指示情報を含む。
【０３１６】
ここで、前記コヒーレント伝送関係に基づいてアップリンク伝送の指示情報を特定する。
【０３１７】
当該方法は、基地局側の方法であり、上記の図１〜図４の端末側の方法に対応する。上記の図１〜図４に示す実施例で基地局に係るすべての実現方式がいずれも当該実施例に適用可能であり、同じ技術効果を奏することもできる。
【０３１８】
本開示は、端末をさらに提供する。当該端末は、
基地局から端末に対し構成するアップリンク参照信号リソースの構成情報を取得するための取得モジュールと、
前記アップリンク参照信号リソースの構成情報に基づいてアップリンク参照信号を送信するための送信モジュールと、
基地局によって特定されるアップリンク伝送の指示情報を端末が受信するための受信モジュールと、を含み、
前記送信モジュールは、さらに、前記指示情報に基づいてアップリンク伝送を行うことに用いられる。
【０３１９】
ここで、前記送信モジュールは、さらに、端末のコヒーレント伝送力情報を基地局に送信することに用いられる。
【０３２０】
ここで、前記受信モジュールは、具体的に、基地局から端末のコヒーレント伝送力情報に基づいて特定したアップリンク参照信号リソースの構成情報を受信することに用いられる。
【０３２１】
ここで、前記受信モジュールは、さらに、前記基地局から送信される前記アップリンク参照信号リソースに含まれるアップリンク参照信号ポート間のコヒーレント伝送関係情報を受信することに用いられる。
【０３２２】
ここで、前記送信モジュールは、具体的に、前記アップリンク参照信号リソースの構成情報と前記コヒーレント伝送関係情報に基づいて、アップリンク参照信号リソースの構成情報に含まれる各アップリンク参照信号ポートに対応する送信アンテナを特定し、前記アンテナでアップリンク参照信号を送信することに用いられる。
【０３２３】
ここで、前記基地局から端末に対し構成するアップリンク参照信号リソースに含まれるアップリンク参照信号ポート間のコヒーレント伝送関係と、端末のコヒーレント伝送力とのマッピング関係は、予め定義されている。
【０３２４】
ここで、前記送信モジュールは、さらに、端末のコヒーレント伝送力およびアップリンク参照信号リソースの構成情報に基づいて、基地局から端末に対し構成するアップリンク参照信号リソースに含まれるアップリンク参照信号ポート間のコヒーレント伝送関係を特定することに用いられる。前記コヒーレント伝送関係と端末のコヒーレント伝送力とのマッピング関係は、予め定義されている。
前記アップリンク参照信号リソースの構成情報に基づいてアップリンク参照信号を送信することは、コヒーレント伝送関係に基づいて、アップリンク参照信号の送信に用いられるアンテナを特定することを含み、
ここで、コヒーレント伝送が可能なアンテナを使用し、コヒーレント伝送が可能なアップリンク参照信号ポートでアップリンク参照信号を送信する。
【０３２５】
ここで、前記送信モジュールは、さらに、基地局から端末に対し構成するアップリンク参照信号リソースに含まれるアップリンク参照信号ポート間のコヒーレント伝送関係情報を基地局に送信することに用いられる。
【０３２６】
ここで、前記送信モジュールは、さらに、前記コヒーレント伝送関係に基づいて、各アップリンク参照信号の伝送に用いられる送信アンテナを特定することに用いられ、ここで、コヒーレント伝送が可能なアンテナを使用し、コヒーレント伝送が可能なアップリンク参照信号ポートでアップリンク参照信号を送信する。
【０３２７】
ここで、前記受信モジュールは、具体的に、ＳＲＩ、または、ＴＰＭＩおよびＴＲＩ、または、ＴＰＭＩ、ＴＲＩおよびＳＲＩの指示情報を含む前記アップリンク伝送の指示情報に基づいて、アップリンク伝送のプリコーディング行列、伝送ストリーム数および用いられるアンテナを特定すること、または、
前記指示情報および前記コヒーレント伝送関係に基づいて、アップリンク伝送のプリコーディング行列、伝送ストリーム数および用いられるアンテナを特定することに用いられる。
【０３２８】
当該端末によって実現されるのは、上記の図１〜図４に示す方法である。上記の図１〜図４に示す方法の実施例は、すべて当該端末の実施例に適用可能であり、同じ技術効果を奏することもできる。
【０３２９】
本開示の一部実施例は、トランシーバと、メモリと、プロセッサと、前記メモリに記憶されて前記プロセッサで実行可能なコンピュータプログラムを含む端末をさらに提供する。
前記プロセッサは、メモリから読み取ることによって、
基地局から端末に対し構成するアップリンク参照信号リソースの構成情報を取得するプロセスと、
前記アップリンク参照信号リソースの構成情報に基づいてアップリンク参照信号を送信するプロセスと、
基地局によって特定されるアップリンク伝送の指示情報を端末が受信するプロセスと、
前記指示情報に基づいてアップリンク伝送を行うプロセスとを、トランシーバに実行させるように制御することに用いられる。
【０３３０】
当該端末の構造図は、図６に示されている。バスアーキテクチャは、任意数の相互接続するバスとブリッジを含み、具体的に、プロセッサをはじめとする１つ又は複数のプロセッサとメモリをはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバは、複数の部品であってもよく、即ち送信機と受信機を含み、伝送媒体でほかの各種類の装置と通信するユニットとして提供される。
【０３３１】
プロセッサは、バスアーキテクチャと通常の処理を管理する。メモリは、プロセッサによる操作実行に使用されるデータを記憶できる。
【０３３２】
本開示の一部実施例は、基地局をさらに提供する。
当該基地局は、
アップリンク参照信号リソースの構成情報を端末に対し構成するための構成モジュールと、
端末から、基地局によって構成される構成情報に基づいて送信されるアップリンク参照信号を受信するための受信モジュールと、
基地局によって特定されるアップリンク伝送用の指示情報を端末に送信するための送信モジュールと、を含む。
【０３３３】
ここで、前記受信モジュールは、さらに、端末から送信される端末のコヒーレント伝送力情報を受信することに用いられる。
【０３３４】
ここで、前記構成モジュールは、具体的に、端末から報知されるコヒーレント伝送力情報に基づいて、アップリンク参照信号リソースの構成情報を特定することに用いられる。
【０３３５】
ここで、前記送信モジュールは、さらに、前記アップリンク参照信号リソースに含まれるアップリンク参照信号ポート間のコヒーレント伝送関係情報を端末に送信することに用いられる。
【０３３６】
ここで、前記コヒーレント伝送関係と、端末のコヒーレント伝送力とのマッピング関係は、予め定義されている。
【０３３７】
ここで、前記送信モジュールは、さらに、端末に対し構成するアップリンク参照信号リソースの構成情報を直接的に端末に送信することに用いられる。
【０３３８】
ここで、前記受信モジュールは、さらに、端末から送信されるアップリンク参照信号ポート間のコヒーレント伝送情報を受信することに用いられる。
【０３３９】
ここで、前記送信モジュールは、具体的に、アップリンク参照信号に基づいて特定したアップリンク伝送用の指示情報を端末に送信することに用いられ、前記指示情報は、アップリンクスケジューリング要求指示ＳＲＩ、または、ＴＰＭＩおよびＴＲＩ、または、ＴＰＭＩ、ＴＲＩおよびＳＲＩの指示情報を含む。
【０３４０】
ここで、前記送信モジュールは、さらに、前記コヒーレント伝送関係に基づいてアップリンク伝送の指示情報を特定することに用いられる。
【０３４１】
当該基地局の実施例は、上記の図１〜図４に示す方法で基地局に係るすべての実現フローを実現可能である。上記の図１〜図４に示す方法の実現方式がいずれも当該基地局に実施例に適用可能であり、同じ技術効果を奏することもできる。
【０３４２】
本開示の一部実施例は、トランシーバと、メモリと、プロセッサと、前記メモリに記憶されて前記プロセッサで実行可能なコンピュータプログラムを含む基地局をさらに提供する。
前記プロセッサは、
前記コンピュータプログラムを実行すると、アップリンク参照信号リソースの構成情報を端末に対し構成するプロセスと、
端末から、基地局によって構成される構成情報に基づいて送信されるアップリンク参照信号を受信するプロセスと、
基地局によって特定されるアップリンク伝送用の指示情報を端末に送信するプロセスとを、トランシーバに実行させるように制御することに用いられる。
【０３４３】
当該端末の構造図は、図６に示されている。バスアーキテクチャは、任意数の相互接続するバスとブリッジを含み、具体的に、プロセッサをはじめとする１つ又は複数のプロセッサとメモリをはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバは、複数の部品であってもよく、即ち送信機と受信機を含み、伝送媒体でほかの各種類の装置と通信するユニットとして提供される。
【０３４４】
プロセッサは、バスアーキテクチャと通常の処理を管理する。メモリは、プロセッサによる操作実行に使用されるデータを記憶できる。
【０３４５】
本開示の一部実施例は、コンピュータプログラムが記憶されているコンピュータ読み取り可能な記憶媒体をさらに提供する。当該プログラムがプロセッサによって実行されると、以上記載した方法が実現される。
【０３４６】
選択可能に、端末の１つのアンテナは、１つのアップリンク参照信号ポートに対応する。選択可能に、端末の１つのアンテナが１つのアップリンク参照信号ポートに対応するという仮定に基づき、基地局は、端末のコヒーレント伝送力情報に基づいてアップリンク参照信号ポート間のコヒーレント伝送関係を特定する。選択可能に、端末の１つのアンテナが１つのアップリンク参照信号ポートに対応するという仮定に基づき、基地局は、端末のコヒーレント伝送力情報に基づいてアップリンク参照信号リソースの構成を特定する。選択可能に、端末の１つのアンテナが１つのアップリンク参照信号ポートに対応するという仮定に基づき、端末のコヒーレント伝送力情報とアップリンク参照信号ポート間のコヒーレント伝送関係を予め取り決める。
【０３４７】
なお、本実施例における上記端末は、本開示の実施例における方法実施例の任意の実施形態の端末であってもよい。本開示の実施例における方法実施例の端末の任意の実施形態は、本実施例における上記端末によって実現可能であり、同じ技術効果を奏することもできるので、ここでは繰り返して記載しない。
【０３４８】
本開示の実施例において、言及されている機器は、送信機器（すなわち基地局）と受信機器（すなわち端末）を含む。送信機器と、当該送信機器にアクセスする受信機器との間は、ダウンリンク伝送とアップリンク伝送が可能である。
【０３４９】
ここで、基地局は、従来の機器における基地局またはほかの種類の伝送ポイント機器であり、端末は、ユーザ機器である。もちろん、上記の２種類の機器に限られない。たとえば、基地局は、ほかの端末に対し設定操作を行うことのできる端末であってもよい。１つの基地局に複数のネットワークノードを含むと見なしてもよい。ネットワークノードは、ＲＦ（たとえばＲＲＵ（Ｒｅｍｏｔｅ  Ｒａｄｉｏ  Ｕｎｉｔ））のみを含むか、ベースバンドとＲＦの両部分（たとえばアクティブアンテナ（Ａｃｔｉｖｅ  ａｎｔｅｎｎａ））を含む。ネットワークノードは、ベースバンド（たとえばＢＢＵ（Ｂａｓｅｂａｎｄ  Ｕｎｉｔ））のみを含んでもよく、エアインタフェース層のデジタル／ＲＦ機能を一切有さず、ハイレイヤ信号処理のみを司り、エアインタフェース層のベースバンド処理をすべてアクティブアンテナで行うようにしてもよい。それ以外、ネットワークの実現方式は、多種類ある。
【０３５０】
端末は、ユーザ機器ＵＥ（Ｕｓｅｒ  Ｅｑｕｉｐｍｅｎｔ）と称されてもよく、またはターミナル（Ｔｅｒｍｉｎａｌ）、ＭＳ（Ｍｏｂｉｌｅ  Ｓｔａｔｉｏｎ）、移動端末（Ｍｏｂｉｌｅ  Ｔｅｒｍｉｎａｌ）などと称されてもよい。当該端末は、ＲＡＮ（Ｒａｄｉｏ  Ａｃｃｅｓｓ  Ｎｅｔｗｏｒｋ）を介して１つまたは複数のコアネットワークと通信可能である。たとえば、端末は、移動電話（または「セルラー」電話と称される）、移動端末を有するコンピュータなどである。たとえば、端末は、携帯式、ポータブル式、ハンドヘルド式、コンピュータ内蔵式または車載の移動装置であり、無線アクセスネットワークとは音声および／またはデータのやり取りを行う。本開示の一部実施例における端末は、Ｄ２Ｄ（Ｄｅｖｉｃｅ  ｔｏ  Ｄｅｖｉｃｅ）端末やＭ２Ｍ（Ｍａｃｈｉｎｅ  ｔｏ  Ｍａｃｈｉｎｅ）端末であってもよい。本開示の実施例において、ネットワークと端末について具体的に限定しない。
【０３５１】
本開示の実施例において、言及されているプリコーディング行列／ベクトルは、１つのプリコーディング行列／ベクトルであってもよく、複数のプリコーディングベクトルであってもよい。プリコーディング行列／ベクトルは、「プリコーディング」、「ビーム」と称されてもよく、または、「ビームフォーミング」と称され、アナログプリコーディングおよび／またはデジタルプリコーディングを含む。なお、本開示の実施例において、プリコーディング行列／ベクトルについて、具体的にいくつかのプリコーディングを含むかを限定せず、プリコーディング行列／ベクトルの命名方式も限定しない。
【０３５２】
本開示で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０３５３】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０３５４】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０３５５】
以上記載されたのは、本開示の一部の実施形態である。当業者は、本開示に記載されている原理を逸脱せずに様々な改良や修飾をすることもできる。これらの改良や修飾も、本開示の保護範囲として見なされるべきである。
【図１】
2020536413.tif 000023
【図２】
2020536413.tif 000024
【図３】
2020536413.tif 000025
【図４】
2020536413.tif 000026
【図５】
2020536413.tif 000027
【図６】
2020536413.tif 000028
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
端末のコヒーレント伝送力情報を基地局に送信することと、
基地局から端末に対し構成するアップリンク参照信号リソースの構成情報を取得することと、
前記アップリンク参照信号リソースの構成情報に基づいてアップリンク参照信号を送信することと、
基地局によって特定されるアップリンク伝送の指示情報を受信することと、
前記指示情報に基づいてアップリンク伝送を行うことと、
を含む、アップリンク伝送方法。
【請求項２】
基地局から端末に対し構成するアップリンク参照信号リソースの構成情報を取得することは、
基地局から端末のコヒーレント伝送力情報に基づいて特定したアップリンク参照信号リソースの構成情報を受信することを含む、請求項１に記載のアップリンク伝送方法。
【請求項３】
前記アップリンク参照信号リソースの構成情報に基づいてアップリンク参照信号を送信する前に、
前記基地局から送信される前記アップリンク参照信号リソースに含まれるアップリンク参照信号ポート間のコヒーレント伝送関係情報を受信することをさらに含む、請求項１に記載のアップリンク伝送方法。
【請求項４】
前記アップリンク参照信号リソースの構成情報に基づいてアップリンク参照信号を送信することは、
前記アップリンク参照信号リソースの構成情報と前記コヒーレント伝送関係情報に基づいて、アップリンク参照信号リソースの構成情報に含まれる各アップリンク参照信号ポートに対応する送信アンテナを特定し、前記アンテナでアップリンク参照信号を送信すること、
または
前記コヒーレント伝送関係情報は、
各アップリンク参照信号リソースのアップリンク参照信号ポート間のコヒーレント伝送関係情報であり、
または
前記コヒーレント伝送関係情報は、
前記アップリンク参照信号リソースの構成情報に含まれ、
または、
前記コヒーレント伝送関係情報は、
単独に指示される情報であり、
または
前記コヒーレント伝送関係情報は、
前記コヒーレント伝送力情報に基づいて特定され、
または
前記アップリンク伝送の指示情報およびそれによって指示される内容は、
前記コヒーレント伝送関係、および、前記基地局によって受信されるアップリンク参照信号に基づいて特定され、
または
前記基地局から端末に対し構成するアップリンク参照信号リソースに含まれるアップリンク参照信号ポート間のコヒーレント伝送関係と、端末のコヒーレント伝送力とのマッピング関係は、予め定義され、
または
前記コヒーレント伝送関係情報は、具体的に、コヒーレント伝送が可能な最大または最小のアップリンク参照信号ポート数情報を含み、
または
端末が、基地局によって特定されるアップリンク伝送の指示情報を受信してアップリンク伝送を行うことは、
前記指示情報および前記コヒーレント伝送関係に基づいて、アップリンク伝送のプリコーディング行列、伝送ストリーム数および用いられるアンテナを特定することを含む、請求項３に記載のアップリンク伝送方法。
【請求項５】
端末のコヒーレント伝送力情報は、
アンテナグルーピング情報を含み、
ここで、各アンテナ群内のアンテナは、コヒーレント伝送が可能であり、異なるアンテナ群内のアンテナは、コヒーレント伝送ができない、請求項１に記載のアップリンク伝送方法。
【請求項６】
端末のコヒーレント伝送力情報には、
端末の少なくとも一部のアンテナはコヒーレント伝送ができる旨の情報、または、端末のすべてのアンテナはコヒーレント伝送ができない旨の情報を含み、
または、
端末のコヒーレント伝送力情報は、
端末のコヒーレント伝送が可能な最大アンテナ数情報または最小アンテナ数情報を含む、請求項１に記載のアップリンク伝送方法。
【請求項７】
前記コヒーレント伝送関係情報は、具体的に、
アップリンク参照信号ポートのグルーピング情報を含み、
ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われなく、
および/または
前記コヒーレント伝送関係情報には、
同一のアップリンク参照信号リソースのアップリンク参照信号の少なくとも一部のポートはコヒーレント伝送が可能である旨の情報、または、すべてのポートはコヒーレント伝送ができない旨の情報を含む、請求項４に記載のアップリンク伝送方法。
【請求項８】
前記アップリンク参照信号リソースの構成情報に基づいてアップリンク参照信号を送信する前に、
端末のコヒーレント伝送力およびアップリンク参照信号リソースの構成情報に基づいて、基地局から端末に対し構成するアップリンク参照信号リソースに含まれるアップリンク参照信号ポート間のコヒーレント伝送関係を特定することをさらに含み、
ここで、前記コヒーレント伝送関係と端末のコヒーレント伝送力とのマッピング関係は、予め定義されており、
前記アップリンク参照信号リソースの構成情報に基づいてアップリンク参照信号を送信することは、
コヒーレント伝送関係に基づいて、アップリンク参照信号の送信に用いられるアンテナを特定することを含み、
ここで、コヒーレント伝送が可能なアンテナを使用し、コヒーレント伝送が可能なアップリンク参照信号ポートでアップリンク参照信号を送信する、請求項１に記載のアップリンク伝送方法。
【請求項９】
端末から送信される端末のコヒーレント伝送力情報を受信することと、
アップリンク参照信号リソースの構成情報を端末に対し構成することと、
端末から、基地局によって構成される構成情報に基づいて送信されるアップリンク参照信号を受信することと、
基地局によって特定されるアップリンク伝送用の指示情報を端末に送信することと、
を含む、アップリンク伝送の構成方法。
【請求項１０】
アップリンク参照信号リソースの構成情報を端末に対し構成することは、
端末から報知されるコヒーレント伝送力情報に基づいて、アップリンク参照信号リソースの構成情報を特定することを含む、請求項９に記載のアップリンク伝送の構成方法。
【請求項１１】
端末から、基地局によって構成される構成情報に基づいて送信されるアップリンク参照信号を受信する前に、
前記アップリンク参照信号リソースに含まれるアップリンク参照信号ポート間のコヒーレント伝送関係情報を端末に送信することをさらに含む、請求項９に記載のアップリンク伝送の構成方法。
【請求項１２】
前記コヒーレント伝送関係情報は、
前記コヒーレント伝送力情報に基づいて特定される、請求項１１に記載のアップリンク伝送の構成方法。
【請求項１３】
端末のコヒーレント伝送力情報は、
アンテナグルーピング情報を含み、
ここで、各アンテナ群内のアンテナは、コヒーレント伝送が可能であり、異なるアンテナ群内のアンテナは、コヒーレント伝送ができない、請求項９に記載のアップリンク伝送の構成方法。
【請求項１４】
前記コヒーレント伝送関係情報は、具体的に、
アップリンク参照信号ポートのグルーピング情報を含み、
ここで、各アップリンク参照信号ポート群内のアップリンク参照信号ポートは、コヒーレント伝送が行われ、異なるアップリンク参照信号ポート群内のアップリンク参照信号ポートは、コヒーレント伝送が行われなく、
および/または
前記コヒーレント伝送関係情報には、
同一のアップリンク参照信号リソースのアップリンク参照信号の少なくとも一部のポートはコヒーレント伝送が可能である旨の情報、または、すべてのポートはコヒーレント伝送ができない旨の情報を含む、請求項１２に記載のアップリンク伝送の構成方法。
【請求項１５】
基地局から端末に対し構成するアップリンク参照信号リソースの構成情報を取得するための取得モジュールと、
前記アップリンク参照信号リソースの構成情報に基づいてアップリンク参照信号を送信するための送信モジュールと、
基地局によって特定されるアップリンク伝送の指示情報を受信するための受信モジュールと、を含み、
前記送信モジュールは、さらに、前記指示情報に基づいてアップリンク伝送を行うことに用いられる、端末。
【請求項１６】
アップリンク参照信号リソースの構成情報を端末に対し構成するための構成モジュールと、
端末から、基地局によって構成される構成情報に基づいて送信されるアップリンク参照信号を受信するための受信モジュールと、
基地局によって特定されるアップリンク伝送用の指示情報を端末に送信するための送信モジュールと、
を含む、基地局。
【国際調査報告】
2020536413.tif 000029
2020536413.tif 000030
2020536413.tif 000031
2020536413.tif 000032